(57)【特許請求の範囲】
【請求項１】
弾性を有するフィルム状の支持体、及び前記支持体の一面に設けられた粘着剤層を備えた貼付材であって、
前記貼付材は、
一端部及び他端部を有する基部と、
前記他端部から延出している第１延出部と、
前記第１延出部が延出している方向とは別方向へ前記他端部から延出している第２延出部と、
を少なくとも備えて構成し、
前記貼付材が貼付されたときに前記基部が、弛んだ皮膚部分の少なくとも一部に貼付されており、前記一端部から前記第１延出部へ向けて牽引されており、かつ、当該一端部から当該第１延出部へ向かう方向とは別方向にある前記第２延出部へ向けて牽引されていることを特徴とする貼付材。
【請求項２】
前記弛んだ皮膚部分が、マリオネットラインと耳垂前部との間にある皮膚部分であり、
貼付されたときに、前記一端部、前記第１延出部、及び前記第２延出部からなる群より選ばれた１つ以上の部分が、耳垂前部にある皮膚部分の少なくとも一部に貼付されている、請求項１に記載された貼付材。
【請求項３】
前記弛んだ皮膚部分が、ほうれい線と耳前との間にある皮膚部分であり、
貼付されたときに、前記一端部、前記第１延出部、及び前記第２延出部からなる群より選ばれた１つ以上の部分が、耳前にある皮膚部分の少なくとも一部に貼付されている、請求項１に記載された貼付材。
【請求項４】
前記弛んだ皮膚部分が、下眼瞼部の眼袋とこめかみとの間にある皮膚部分、および／または、鼻背とこめかみとの間との間にある皮膚部分であり、
貼付されたときに、前記一端部、前記第１延出部、及び前記第２延出部からなる群より選ばれた１つ以上の部分が、こめかみにある皮膚部分の少なくとも一部に貼付されている、請求項１に記載された貼付材。
【請求項５】
前記弛んだ皮膚部分が、眉間にある皮膚部分であり、
貼付されたときに、前記一端部、前記第１延出部、及び前記第２延出部からなる群より選ばれた１つ以上の部分が、鼻背にある皮膚部分の少なくとも一部、および／または、前頭部において頭髪の生え際にある皮膚部分の少なくとも一部に貼付されている、請求項１に記載された貼付材。
【請求項６】
前記支持体の厚さが６〜５０μｍであり、
前記支持体の２０％引張強度が０．１〜３Ｎ／ｃｍであり、
前記粘着剤層の厚さが５〜１００μｍである、請求項１から請求項５までのいずれか一項に記載された貼付材。
【請求項７】
前記支持体の厚さをｗとするとき、当該支持体の他面の十点平均粗さＲｚが、６μｍ≦Ｒｚ≦４０μｍであり、かつ、Ｒｚ≦ｗである、請求項１から請求項６までのいずれか一項に記載された貼付材。
【請求項８】
前記他端部から前記第１延出部が延出している方向とは別方向へ、および、当該他端部から前記第２延出部が延出している方向とは別方向へ、当該他端部から延出している第３延出部をさらに備えて構成している、請求項１から請求項７までのいずれか一項に記載された貼付材。
【請求項９】
請求項１から請求項７までのいずれか一項に記載された貼付材を囲むフレームと、
前記フレームに取り付けられて前記一端部を保持する一端部保持手段と、
前記フレームに取り付けられて前記第１延出部を保持する第１延出部保持手段と、
前記フレームに取り付けられて前記第２延出部を保持する第２延出部保持手段と、
を備える貼付具。
【請求項１０】
請求項８に記載された貼付材を囲むフレームと、
前記フレームに取り付けられて前記一端部を保持する一端部保持手段と、
前記フレームに取り付けられて前記第１延出部を保持する第１延出部保持手段と、
前記フレームに取り付けられて前記第２延出部を保持する第２延出部保持手段と、
前記フレームに取り付けられて前記第３延出部を保持する第３延出部保持手段と、
を備える貼付具。
【発明の詳細な説明】
【技術分野】
【０００１】
本発明は、貼付材、及びその貼付具に関する。
【背景技術】
【０００２】
皮膚が老化すると、その症状として皮膚にシワ、弛みが生じる。女性にとっては、皮膚にシワ、弛みが生じると、ＱＯＬ（Quality of life）の著しい低下を招いてしまう場合がある。高齢者人口が増え続ける現状において、いつまでも若々しくハリのある皮膚を保ちたいという願望に応え、ＱＯＬを高く保つために、効率よく皮膚の弛みやシワを矯正する手段が求められている。
【０００３】
例えば、特許文献１では、耳下の顎の皮膚部分に支持体の一端部を貼付し、支持体の他端部を耳の後ろ側の皮膚部分に貼付する貼付材が開示されている。この貼付材を貼付すると、顔面下部の皮膚が上方に牽引されて、顔面下部で弛んだ皮膚が矯正されて、シワを平坦化させることができる。
【先行技術文献】
【特許文献】
【０００４】
【特許文献１】特開２００２−２４１２２２号公報
【発明の概要】
【発明が解決しようとする課題】
【０００５】
しかし、従来の貼付材では、弛んだ皮膚を矯正する効果が小さく、深いほうれい線やマリオネットラインを充分に平坦化させることは難しい。また、従来の貼付材が貼付された皮膚には、不自然な陥凹が生じてしまう場合が多い。
【０００６】
そこで、本発明の課題は、シワ、弛みを生じた皮膚を矯正する効果が大きく、皮膚に不自然な陥凹が生じにくい貼付材を提供することにある。さらに、本発明の課題は、前述の貼付材を皮膚に適切に貼付することができる貼付具を提供することにある。
【課題を解決するための手段】
【０００７】
本発明者は、従来の貼付材を貼付する場合の問題点を検討した。弛んだ皮膚は、表皮が扁平化し、真皮層が弾力性を失い菲薄化し、結果的に全方向に面積が拡大した状態になっている。このため、従来の貼付材を貼付して弛んだ皮膚を単一方向に牽引したのでは、弛んだ皮膚を広範囲にわたって矯正することができないと考えられる。また、従来の貼付材では、貼付する際、一度に適切な単一方向に適切な強さで貼付材を牽引しながら貼付する高度な技術が求められる。貼付材の扱いに熟練していない者が貼付すると、皮膚の一部が局所的に強く牽引されて不自然に陥凹すると考えられる。
【０００８】
上記の考えに基づいて、本発明者は、弛んだ皮膚部分を一方向に牽引している状態で保持するように貼付材の一部分を貼付し、次に、弛んだ皮膚部分を別方向にも牽引している状態で保持するように貼付材の他部分を貼付可能な貼付材を開発した。その結果、従来の貼付材と比べて、シワ、弛みを生じた皮膚を矯正する効果が格段に優れ、皮膚に不自然な陥凹が生じないように貼付しやすい貼付材を提供できることを見出した。
【０００９】
すなわち、前述の課題を達成するため、本発明に係る貼付材は、弾性を有するフィルム状の支持体、及び前記支持体の一面に設けられた粘着剤層を備えた貼付材であって、前記貼付材は、一端部及び他端部を有する基部と、前記他端部から延出している第１延出部と、前記第１延出部が延出している方向とは別方向へ前記他端部から延出している第２延出部と、を少なくとも備えて構成し、前記貼付材が貼付されたときに前記基部が、弛んだ皮膚部分の少なくとも一部に貼付されており、前記一端部から前記第１延出部へ向けて牽引されており、かつ、当該一端部から当該第１延出部へ向かう方向とは別方向にある前記第２延出部へ向けて牽引されていることを特徴とする。
【００１０】
あるいは、本貼付材は、弾性を有するフィルム状の支持体、及び前記支持体の一面に設けられた粘着剤層を備えた貼付材であって、前記貼付材は、一端部及び他端部を有する基部と、前記他端部から延出している第１延出部と、前記第１延出部が延出している方向とは別方向へ前記他端部から延出している第２延出部と、を少なくとも備えて構成していることを特徴とする。
【００１１】
本貼付材は、貼付されたときに、前記一端部、前記第１延出部、及び前記第２延出部からなる群より選ばれた１つ以上の部分が、筋組織、腱組織、及び軟骨組織からなる群より選ばれた１種以上の組織を介して骨組織に固定された皮膚部分の少なくとも一部に貼付されていることを特徴とし得る。
【００１２】
本貼付材は、貼付されたときに、前記基部が、前記弛んだ皮膚部分の少なくとも一部に貼付されており、前記弛んだ皮膚部分が、ほうれい線と耳前との間にある皮膚部分であり、前記固定された皮膚部分が、耳前の皮膚部分であることを特徴とし得る。
【００１３】
本貼付材は、貼付されたときに、前記基部が、前記弛んだ皮膚部分の少なくとも一部に貼付されており、前記弛んだ皮膚部分が、マリオネットラインと耳垂前部との間にある皮膚部分であり、前記固定された皮膚部分が、耳垂前部の皮膚部分であることを特徴とし得る。
【００１４】
本貼付材は、貼付されたときに、前記基部が、前記弛んだ皮膚部分の少なくとも一部に貼付されており、前記弛んだ皮膚部分が、下眼瞼部の眼袋とこめかみとの間にある皮膚部分、及び鼻背とこめかみとの間にある皮膚部分からなる群より選ばれた１種以上の皮膚部分であり、前記固定された皮膚部分が、こめかみの皮膚部分であることを特徴とし得る。
【００１５】
本貼付材は、貼付されたときに、前記基部が、前記弛んだ皮膚部分の少なくとも一部に貼付されており、前記弛んだ皮膚部分が、眉間の皮膚部分であり、前記固定された皮膚部分が、鼻背の皮膚部分、及び前頭部の頭髪の生え際の皮膚部分からなる群より選ばれた１種以上の皮膚部分であることを特徴とし得る。
【００１６】
本貼付材は、前記支持体の厚さが６〜５０μｍであり、前記支持体の２０％引張強度が０．１〜３Ｎ／ｃｍであり、前記粘着剤層の厚さが５〜１００μｍであることを特徴とし得る。
【００１７】
本貼付材は、前記支持体の厚さをｗとするとき、当該支持体の他面の十点平均粗さＲｚが、６μｍ≦Ｒｚ≦４０μｍであり、かつ、Ｒｚ≦ｗであることを特徴とし得る。
【００１８】
さらに、本貼付具は、前記貼付材を囲むフレームと、前記フレームに取り付けられて前記一端部を保持する一端部保持手段と、前記フレームに取り付けられて前記第１延出部を保持する第１延出部保持手段と、前記フレームに取り付けられて前記第２延出部を保持する第２延出部保持手段と、を備える。
【発明の効果】
【００１９】
上記の構成を含む本発明に係る貼付材は、基部の一端部から、第１延出部と第２延出部がそれぞれ別方向に延出している形状を少なくとも備えて構成している。この形状により、適切に貼付すれば、本貼付材が貼付されたときにその基部は、弛んだ皮膚部分の少なくとも一部に貼付されており、一端部から第１延出部へ向けて牽引されており、かつ、一端部から第１延出部へ向かう方向とは別方向にある第２延出部へ向けて牽引されている状態になる。このとき、弛んだ皮膚部分は、その少なくとも一部に基部を貼付されているため、基部と同様に、第１延出部に向かう方向と、この方向とは別方向にある第２延出部に向かう方向と、の複数方向に牽引されている状態で保持される。さらに、弛んだ皮膚部分から第１延出部と第２延出部との間にある方向において、前述した第１延出部に向かう方向への牽引力と、前述した第２延出部に向かう方向への牽引力と、が合成されるため、このときの弛んだ皮膚部分は、第１延出部と第２延出部との間に向かう方向へも牽引されている状態で保持される。このように弛んだ皮膚が複数方向に牽引されている状態で保持されると、従来の貼付材が貼付されて弛んだ皮膚部分が単一方向に牽引されている場合と比べて、広範囲にわたり拡大した余剰皮膚を適切に牽引すること、つまり、広範囲にわたり皮膚の弛みを解消することができる。
【００２０】
皮膚の弛みが広範囲にわたり解消すると、弛んだ皮膚部分の近くに生じていたシワが効率よく平坦化する。例えば、本貼付材の基部を弛んだ頬の皮膚部分の少なくとも一部に貼付して、その皮膚部分の弛みを矯正すると、その皮膚部分の近くにある深いほうれい線やマリオネットラインが効率よく平坦化されて浅くなる。
【００２１】
また、従来の貼付材が貼付されて皮膚が単一方向に牽引されている場合と比べて、上記のように本貼付材が貼付されたときには、広範囲にわたり拡大した余剰皮膚が複数方向に牽引されているため、弛んだ皮膚部分で不自然な陥凹は生じにくい。さらに、本貼付材は、第１延出部と第２延出部とを少なくとも備えて構成しているため、貼付されたときに一つの延出部のみに牽引力が局所的に集中して及ぶことは避けられる。このため、従来の貼付材が貼付されて皮膚が単一方向に牽引されている場合と比べて、本貼付材を貼付されたときには、第１延出部を貼付された皮膚部分や、第２延出部を貼付された皮膚部分で、不自然な陥凹は生じにくい。
【図面の簡単な説明】
【００２２】
【図１】実施形態１に係る貼付材を表し、（ａ）は貼付材の積層構造を示す断面図であり、（ｂ）は粘着剤層が剥離紙に被覆された貼付材の積層構造を示す断面図である。
【図２】実施形態１に係る貼付材を表し、（ａ）は左右一対の貼付材セットを示す正面図であり、（ｂ）は貼付材の貼付に適する顔面の部位を示す説明図である。
【図３】実施形態１に係る貼付材の貼付方法を表し、（ａ）は基部及び第１延出部を牽引されながら一端部が貼付された貼付材を示す説明図であり、（ｂ）は牽引されながら第１延出部が貼付された貼付材を示す説明図であり、（ｃ）は牽引されながら第２延出部が貼付された貼付材を示す説明図である。なお、（ａ），（ｂ），（ｃ）で斑点が描かれた範囲の部分は、貼付材が皮膚に貼付された部分を示す。
【図４】切れ目が設けられた剥離紙を備える貼付材の貼付方法を表し、（ａ）は剥離紙の基部被覆部分を剥離された貼付材を示す説明図であり、（ｂ）は貼付材を牽引しながら基部を貼付することを示す説明図であり、（ｃ）は剥離紙の第１延出部被覆部分及び第２延出部被覆部分を剥離して第１延出部及び第２延出部をそれぞれ一端部から別方向に牽引しながら貼付することを示す説明図である。なお、（ａ）で斑点が描かれている範囲の部分は、剥離紙の基部被覆部分を剥離して貼付材の皮膚当接面が露出している部分を示す。また、（ｂ），（ｃ）で斑点が描かれた範囲の部分は、貼付材が皮膚に貼付された部分を示す。
【図５】実施形態２に係る貼付材を表し、（ａ）は左右一対の貼付材セットを示す正面図であり、（ｂ）は貼付材を貼付する顔面の部位を示す説明図である。
【図６】実施形態３に係る貼付材を表し、（ａ）は左右一対の貼付材セットを示す正面図であり、（ｂ）は貼付材を貼付する顔面の部位を示す説明図である。
【図７】実施形態４に係る貼付材を表し、（ａ）はＶ字状貼付材を示す正面図であり、（ｂ）は横に短い基部を備えるＵ字状貼付材を示す正面図であり、（ｃ）は横長の基部を備えるＵ字状貼付材を示す正面図であり、（ｄ）は貼付材の貼付に適する顔面の部位を示す説明図である。
【図８】実施形態５に係る貼付材を表し、（ａ）は左右一対の貼付材セットを示す正面図であり、（ｂ）は貼付材を貼付する顔面の部位を示す説明図である。
【図９】実施形態６に係る貼付材を表し、（ａ）は左右一対の右結合型貼付材セットを示す正面図であり、（ｂ）は左右一対の中央結合型貼付材セットを示す正面図であり、（ｃ）は右結合型貼付材セットを貼付する顔面の部位を示す説明図であり、（ｄ）は中央結合型貼付材セットを貼付する顔面の部位を示す説明図である。
【図１０】実施形態７に係る貼付材を表し、（ａ）は貼付材を示す正面図であり、（ｂ）は貼付材を貼付する顔面の部位を示す説明図である。
【図１１】実施形態８に係る貼付材を表し、（ａ）は左右一対の貼付材セットを示す正面図であり、（ｂ）は貼付材を貼付する顔面の部位を示す説明図である。
【図１２】実施形態９に係る貼付材を表し、（ａ）は左右一対の貼付材セットを示す正面図であり、（ｂ）は貼付材を貼付する顔面の部位を示す説明図である。
【図１３】実施形態１０に係る貼付材を表し、（ａ）は左右一対の貼付材セットを示す正面図であり、（ｂ）は貼付材を貼付する顔面の部位を示す説明図である。
【図１４】実施形態１１に係る貼付具を表し、（ａ）は左右一対の貼付材セットを示す正面図であり、（ｂ）は貼付材を貼付する顔面の部位を示す説明図である。
【図１５】実施形態１２に係る貼付具を表し、（ａ）は左右一対の貼付材セットを示す正面図であり、（ｂ）は貼付材を貼付する顔面の部位を示す説明図である。
【図１６】実施形態１４に係る貼付材を表し、（ａ）は支持体がアクリル酸エステル系樹脂により構成されている場合の貼付材の積層構造を示す断面図であり、（ｂ）は支持体がポリウレタンにより構成されている場合の貼付材の積層構造を示す断面図である。
【図１７】貼付材を保持している貼付具を表し、（ａ）は剥離紙を備える実施形態９に係る貼付材を保持している貼付具の正面図であり、（ｂ）は剥離紙とキャリアーを備える貼付材を保持している貼付具を示す断面図である。
【図１８】貼付具を用いて貼付材を適切に貼付する方法を表し、（ａ）は剥離紙の基部被覆部分を剥離された貼付材を示す説明図であり、（ｂ）は基部を一端部保持手段からそれぞれ第１延出部保持手段へ向かう方向と第２延出部保持手段へ向かう方向へ牽引しながら貼付してから一端部保持手段及びキャリアーを剥離することを示す説明図であり、（ｃ）は第１先端部被覆部分及び第２先端部被覆部分を剥離して第１延出部と第２延出部を各々別方向に牽引した状態で貼付することを示す説明図である。なお、（ａ）で斑点が描かれた範囲の部分は、基部被覆部分を剥離されて皮膚当接面が露出している部分を示す。また、（ｂ），（ｃ）で斑点が描かれた範囲の部分は、貼付材が皮膚に貼付された部分を示す。
【図１９】各々（ａ）は実施形態１、（ｂ）は実施形態２、（ｃ）は実施形態３、（ｄ）（ｅ）（ｆ）は実施形態４、（ｇ）は実施形態５に係る貼付材を保持している貼付具を表わす正面図である。
【図２０】各々（ａ）（ｂ）は実施形態６、（ｃ）は実施形態７、（ｄ）は実施形態８、（ｅ）は実施形態１０、（ｆ）は実施形態１１、（ｇ）は実施形態１２に係る貼付材を保持している貼付具を表わす正面図である。
【発明を実施するための形態】
【００２３】
［実施形態１］
図１（ａ）に示すように、実施形態１に係る貼付材（１ａＬ，１ａＲ）は、支持体８ａと粘着剤層９ａを備える。さらに、図２（ａ）に示すように、貼付材（１ａＬ，１ａＲ）は、その形状により、基部（２ａＬ，２ａＲ）と、第１延出部（３ａＬ，３ａＲ）と、第２延出部（６ａＬ，６ａＲ）を備えて構成している。
【００２４】
顔面の右側と左側にそれぞれ貼付できるように、貼付される者にとって顔面の右側用の貼付材１ａＲと、顔面の左側用の貼付材１ａＬとは、左右一対のセットになっている。貼付材１ａＬと貼付材１ａＲとでは、その形状が鏡像対称であることを除けば、同じ構成である。以下、貼付材１ａＬについて説明するが、その説明内容は貼付材１ａＲについても同様である。
【００２５】
図１（ａ）に示すように、貼付材１ａＬは、フィルム状の支持体８ａに一面１１ａと他面１０ａを有し、この一面１１ａに粘着剤層９ａが設けられた積層構造である。粘着剤層９ａには、支持体８ａの一面１１ａに対向している皮膚当接面１３ａが設けられている。皮膚当接面１３ａが皮膚に接した部分では、貼付材１ａＬが皮膚に貼付される。
【００２６】
支持体８ａは、例えば、ポリウレタン、ポリアクリル酸エステル系樹脂、ポリイソブチレン、及びポリ酢酸ビニル等からなる群より選ばれた１種以上の弾性を有する樹脂組成物により構成されている。この樹脂組成物により構成されている支持体８ａは、適度な弾性を有するため、貼付材１ａＬが牽引されたときに裂けにくい。また、支持体８ａは、薄く柔軟であることが好ましい。支持体８ａが薄いと、貼付材１ａＬが皮膚に貼付されたときに、貼付された者は皮膚に違和感を覚えにくい。支持体８ａが柔軟であると、貼付された貼付材１ａＬが皮膚の動きに追従して伸縮しやすいため皮膚から剥脱しにくい。
【００２７】
粘着剤層９ａは、医療用貼付材で用いられ皮膚科学的に許容され得る、例えば、アクリル系粘着剤、ウレタン系粘着剤、シリコン系粘着剤、及びゴム系粘着剤等からなる群より選ばれた１種以上の粘着剤により構成されている。皮膚への刺激を抑えるために、粘着剤層９ａを構成する粘着剤は、好ましくはアクリル系粘着剤である。アクリル系粘着剤は、例えば、アクリル酸、炭素数８〜１０のアクリル酸エステル、アクリル酸ヒドロキシエチル、及びヒドロキシエチルアクリルアミドからなる群より選ばれた１種以上の化合物を主モノマーとし、酢酸ビニル、及びアルコキシアルキルエステルからなる群より選ばれた１種以上の化合物をコモノマーとして、重合させて得られる粘着剤組成物であることが好ましい。この粘着剤組成物に、融点が１０℃以上であり沸点が１２０℃以上である液体を５〜５０％含ませて架橋させたゲル状の共重合アクリル系粘着剤が、粘着剤層９ａを構成する粘着剤であることが、さらに好ましい。
【００２８】
図２（ａ）に示すように、貼付材１ａＬは、全体としてＵ字状である。基部２ａＬは、略四角形状の外形であり、一端部４ａと他端部１２ａを有する。第１延出部３ａＬは、舌状の外形であり、他端部１２ａから延出している。第１延出部３ａＬの舌状の先端部分を第１先端部５ａとする。第２延出部６ａＬは、舌状の外形であり、他端部１２ａから、第１延出部３ａＬが延出している方向とは別方向へ延出している。第２延出部６ａＬの舌状の先端部分を第２先端部２２ａとする。
【００２９】
なお、本発明では、複数ある延出部のうちで、先に貼付される延出部を第１延出部とし、第１延出部が貼付された後で次に貼付される延出部を第２延出部とする。また、貼付材１ａＬでは、身体に貼付されたときに下側に貼付される延出部を第１延出部３ａＬとし、上側に貼付される延出部を第２延出部６ａＬとすることが好ましい。この場合には、弛んだ皮膚部分を、下側から上側へ向けて段階的に引き上げるように牽引しながら矯正することができる。
【００３０】
本発明において略四角形状とは、四角形のような外形であり、その四角形の辺にあたる外形の一部に曲線状の部分が含まれ、その四角形の角にあたる部分にアールが設けられており、さらに、その外形の一部が延出部とつながって一体化しているため一部の角や辺が明確でない形状である。例えば、貼付材１ａＬでは、基部２ａＬは、四角形のような外形であり、この四角形のうちの一の辺１９ａを挟む２つの角部分１８ａを有する。一の辺１９ａは曲線状であり、２つの角部分１８ａにはアールが設けられている。また、貼付材１ａＬの第１延出部３ａＬと第２延出部６ａＬとの間に形成されている凹形状の凹頂点２０ａは、四角形で一の辺１９ａの対辺上にある点である。しかし、凹頂点２０ａの周辺部分は第１延出部３ａＬ及び第２延出部６ａＬのそれぞれの根元部２３ａにつながって一体化しているため、基部２ａＬは、一の辺１９ａの対辺の全体や、この対辺を挟む２つの角部分２１について、四角形の角やその周辺としての明確な輪郭を有していない。対辺の全体として、凹頂点２０ａを通り、かつ、第１延出部３ａＬや第２延出部６ａＬのそれぞれの根元部２３ａにつながって一体化している部分を横断する線を仮想すると、対辺を挟む２つの角部分２１を仮想でき、基部２ａＬが四角形のような外形であるといえる。
【００３１】
また、本発明における別方向とは、貼付材が２つの延出部を備える場合には、それぞれの延出部が延出している方向が、１０〜９０°の範囲内で異なる角度を向いていることをいう。あるいは、本発明における別方向とは、貼付材が３つ以上の延出部を備える場合には、それぞれの延出部が延出している方向が、互いに５〜１８０°の範囲内で異なる角度を向いていることをいう。このように各々延出部の延出方向が異なると、本貼付材を適切に貼付すれば、基部や基部を貼付された皮膚部分が、それぞれの延出部の間にある方向にも牽引されるため、効率よく皮膚の弛みを解消することができる。貼付材１ａＬにおいては、例えば、第１延出部３ａＬと第２延出部６ａＬのそれぞれの外形について、その舌状の長手方向に並んで伸びている２辺に対してなるべく等距離となる点を複数つなげて形成される直線を仮想し、これら仮想の２つの直線を延長して生じる交差点で、交差角が２０〜４０°になる。つまり、貼付材１ａＬでは、第１延出部３ａＬの延出方向と、第２延出部６ａＬの延出方向とでは、２０〜４０°開いている。
【００３２】
一の辺１９ａから凹頂点２０ａへ至る最短距離を基部２ａＬの横方向の長さとし、この横方向と直交する方向で基部２ａＬの幅を測ったときに示される最短の幅を基部２ａＬの縦方向の長さとする。基部２ａＬの寸法は、例えば縦３０ｍｍ×横２０ｍｍである。また、基部２ａＬの横方向の長さの二等分点を通ってこの横方向と直交する線を仮想し、基部２ａＬのうちでこの仮想の線よりも一の辺１９ａ側にある部分を一端部４ａとし、基部２ａＬのうちでこの仮想の線よりも凹頂点２０ａ側にある部分を他端部１２ａとする。一端部４ａは、略四角形状である基部２ａＬのうちで、一の辺１９ａ、２つの角部分１８ａ、及びその周辺部分により構成されている。また、他端部１２ａは、凹頂点２０ａ、前述した一の辺１９ａの対辺を挟む２つの角部分２１、及びその周辺部分により構成されている。
【００３３】
貼付材１ａＬの貼付方法の手順を説明する。まず、例えば、貼付材１ａＬの一端部４ａと第１先端部５ａとをそれぞれ別の手の指先で同時に摘んだ状態で、第１先端部５ａを引っ張る。このため、図３（ａ）に示すように、貼付材１ａＬは、その一端部４ａから第１先端部５ａへ向かう方向に牽引された状態となる。この状態のまま、一端部４ａのみを弛んだ皮膚部分４１の少なくとも一部に貼付する。次に、図３（ｂ）に示すように、基部２ａＬ及び第１延出部３ａＬを、一端部４ａから第１先端部５ａへ向かう方向に牽引しながら、他端部１２ａ、根元部２３ａ、第１延出部３ａＬの第１先端部５ａの順に貼付する。最後に、図３（ｃ）に示すように、第１延出部３ａＬが牽引されながら貼付された方向とは別方向に第２延出部６ａＬの第２先端部２２ａを牽引しながら、他端部１２ａ、根元部２３ａ、第２延出部６ａＬの第２先端部２２ａの順に貼付する。
【００３４】
上記の手順により、貼付されたときの貼付材１ａＬは、その基部２ａＬが弛んだ皮膚部分４１の少なくとも一部に貼付されている。また、その基部２ａＬと第１延出部３ａＬは、一端部４ａから第１延出部３ａＬの第１先端部５ａへ向かう方向に牽引されている状態で貼付されている。さらに、その基部２ａＬと第２延出部６ａＬは、一端部４ａから、第１延出部３ａＬが牽引されながら貼付された方向とは別方向にある第２延出部６ａＬの第２先端部２２ａへ向かう方向に牽引されている状態で貼付されている。
【００３５】
また、図４（ｃ）に示すように、身体には、筋組織、腱組織、及び軟骨組織からなる群より選ばれた少なくとも１種以上の組織を介して骨組織に固定された皮膚部分（以下「固定された皮膚部分」という。）４２が多数ある。前述した手順で図３（ｂ）に示すように、基部２ａＬ及び第１延出部３ａＬが一端部４ａから第１先端部５ａへ向かう方向に牽引されている状態で貼付されると、この牽引方向とは逆方向の延長線上にある固定された皮膚部分４３から、この牽引方向にある固定された皮膚部分４５へ向けて、弛んだ皮膚部分４１の少なくとも一部が牽引された状態で保持される。
【００３６】
次いで、図３（ｃ）に示すように、第１延出部３ａＬが牽引されながら貼付された方向とは別方向に第２延出部６ａＬを牽引しながら貼付すると、この牽引方向の逆方向の延長線上にあり固定された皮膚部分４３の近くにある他の固定された皮膚部分４４から、この牽引方向にあり固定された皮膚部分４５から少し離れている他の固定された皮膚部分４６へ向けて、弛んだ皮膚４１の少なくとも一部が牽引された状態で保持される。さらに、弛んだ皮膚部分４１は、第１延出部３ａＬの第１先端部５ａへの牽引方向と、第２延出部６ａＬの第２先端部２２ａへの牽引方向とが合成されて、固定された皮膚部分４５と他の固定された皮膚部分４６の間にあるさらに他の固定された皮膚部分４７への広範な方向にも牽引されている状態で保持される。
【００３７】
このため、本発明に係る貼付材を、上記のように弛んだ皮膚部分を複数方向に牽引しながら貼付すると、従来の貼付材を単一方向に牽引しながら貼付する場合と比べて、基部を貼付された皮膚部分のみに限らず、その皮膚部分の周囲の広範囲にわたって拡大した余剰皮膚をも牽引して適切に矯正することができる。さらに、皮膚の弛みが広範囲にわたり解消すると、弛んだ皮膚部分の近くに生じていたシワが効率よく平坦化する。
【００３８】
また、本貼付材は、第１延出部を牽引しながら貼付する段階と、第２延出部を牽引しながら貼付する段階を経て貼付される。多段階を経て貼付されるため、弛んだ皮膚部分を牽引する方向を順次調節して、第１延出部と第２延出部のそれぞれに及ぶ牽引力の強さを順次分散させることができる。このため、従来の貼付材の扱いに熟練していない者であっても、本貼付材であれば、貼付する際に一つの延出部のみに牽引力が局所的に集中して及ぶことを容易に避けることができるため、それぞれの延出部が貼付された皮膚部分に不自然な陥凹が生じないように貼付しやすい。また、本貼付材は、牽引力の強さを第１延出部と第２延出部とに順次分散させながら、図３（ｃ）に示すように、第１延出部と第２延出部との間にある広範な方向へ向けて弛んだ皮膚を更に強力に牽引することができるため、弛みを矯正された皮膚が自然な外観となるように貼付しやすい。
【００３９】
よって、本発明によれば、シワ、弛みを生じた皮膚を矯正する効果が大きく、皮膚に不自然な陥凹が生じにくい貼付材を提供することができる。このため、本発明に係る貼付材は、好ましくは、皮膚矯正用の貼付材として用いられる。また、さらに好ましくは、老人性顔貌を若々しく自然な顔貌に矯正するための、老人性顔貌の矯正用の貼付材として用いられる。この本発明の効果は、基部及び第１延出部を一端部から第１延出部の第１先端部へ向かう方向に牽引しながら、基部を弛んだ皮膚部分の少なくとも一部に貼付してから第１延出部の第１先端部を貼付し、次いで、第１延出部を牽引しながら貼付した方向とは別方向に第２延出部の第２先端部を牽引しながら貼付する貼付方法をとることで、更に発揮される。
【００４０】
貼付材１ａＬは、好ましくは、図１（ｂ）に示すように、皮膚当接面１３ａを被覆する剥離紙１４ａを備える。この剥離紙１４ａが剥離されるまで、皮膚当接面１３ａが保護される。この剥離紙１４ａは、さらに好ましくは、皮膚当接面１３ａから少ない力で簡単に剥がすことができる素材のものである。このような剥離紙１４ａの素材としては、例えば、紙の片面にシリコン処理を施したもの、紙とポリオレフィン薄膜とを貼り合わせたものの片面にシリコン処理を施したもの、あるいはポリエステルフィルムにシリコン処理を施したものが挙げられる。また、剥離紙１４ａは、皮膚当接面１３ａを被覆する部分から突出した摘み部１６が設けられていると、剥離しやすいため好ましい。
【００４１】
貼付材１ａＬが剥離紙１４ａを備える場合、図１（ｂ）及び図２（ａ）に示すように、この剥離紙１４ａは、切れ目（ハーフカット）１７ａが設けられていることが好ましい。切れ目１７ａは、図２（ａ）に示す第１延出部３ａＬと第２延出部６ａＬのそれぞれの根元部２３ａを横断するように剥離紙１４ａに設けられる。また、切れ目１７ａは、各々根元部２３ａごとに向きを変えて設けられる。あるいは、切れ目１７ａに代わり、製造工程を簡略化するために、全ての根元部２３ａを同じ向きで横断する切れ目２４ａが設けられても良い。図１（ｂ）及び図２（ａ）に示すように、切れ目１７ａ又は切れ目２４ａが設けられた剥離紙１４ａは、基部２ａＬの皮膚当接面１３ａを被覆する基部被覆部分２５ａと、第１先端部５ａの皮膚当接面１３ａを被覆する第１先端部被覆部分２６ａと、第２先端部２２ａ（図１（ｂ）で不図示）の皮膚当接面１３ａを被覆する第２先端部被覆部分２７ａ（図１（ｂ）で不図示）と、に分断されている。
【００４２】
剥離紙１４ａに切れ目１７ａ又は切れ目２４ａが設けられている場合の貼付材１ａＬについて、その貼付方法の手順を説明する。図４（ａ）に示すように、剥離紙１４ａの基部被覆部分２５ａを剥離する。第１先端部被覆部分２６ａ及び第２先端部被覆部分２７ａは、切れ目１７ａ又は切れ目２４ａにより基部被覆部分２５ａから分断されているため、皮膚当接面１３ａ上に残る。このため、貼付材１ａＬを貼付するときに、第１先端部５ａや第２先端部２２ａを指先で摘んで牽引しやすい。
【００４３】
次に、例えば、一端部４ａと第１先端部５ａとをそれぞれ別の手の指先で摘んで、一端部４ａから第１先端部５ａへ向かう方向に牽引する。このように牽引しながら、図４（ｂ）に示すように、一端部４ａのみを弛んだ皮膚部分４１の少なくとも一部に貼付する。続けて、基部２ａＬ及び第１延出部３ａＬを、一端部４ａから第１延出部３ａＬの第１先端部５ａへ向かう方向に牽引しながら、他端部１２ａ、根元部２３ａの順に貼付する。この際に、第１先端部５ａを指先等で摘んで牽引すると、基部２ａＬ及び第１延出部３ａＬが一端部４ａから第１延出部３ａＬの第１先端部５ａへ向かう方向に牽引されている状態を保つことができる。
【００４４】
さらに次に、図４（ｃ）に示すように、第１先端部被覆部分２６ａを剥離して、基部２ａＬ及び第１延出部３ａＬを一端部４ａから第１先端部５ａへ向かう方向に牽引しながら、第１延出部３ａＬの第１先端部５ａを貼付する。最後に、第２先端部被覆部分２７ａを剥離して、一端部４ａから、第１延出部３ａＬが牽引されながら貼付された方向とは別方向に第２先端部２２ａを牽引しながら、他端部１２ａ、根元部２３ａ、第２延出部６ａＬの第２先端部２２ａの順に貼付する。
【００４５】
上記のように、貼付材１ａＬが切れ目１７ａ又は切れ目２４が設けられた剥離紙１４ａを備える場合、図４（ａ）に示すように基部被覆部２５ａを剥離しても、まだ第１先端部被覆部２６ａ及び第２先端部被覆部２７ａが残っている。このため、図４（ｂ）に示すように、一端部４ａを弛んだ皮膚部分４１の少なくとも一部に貼付するときに、誤って第１先端部５ａや第２先端部２２ａが皮膚に付着することを避けることができる。また、第１延出部３ａＬを牽引するときに、第２先端部被覆部分２７ａが残っているため、誤って第２先端部２２ａが皮膚に付着することを避けることができる。このように、貼付材１ａＬが切れ目１７ａ又は切れ目２４ａが設けられた剥離紙１４ａを備える場合、貼付する者は、図４（ａ），（ｂ），（ｃ）に示すそれぞれの手順を、落ち着いて一つずつ行うことができる。このため、弛みを矯正された皮膚が自然な外観となるように貼付することが、さらに容易となる。
【００４６】
本発明者は、弛んだ皮膚部分４１をより更に効率よく矯正するために、皮膚にシワ、弛みが生じる原因を解剖学的な観点から検討した。前述した固定された皮膚部分４２は、皮膚が老化しても身体での位置が固定された状態で保たれている。なお、固定された皮膚部分４２としては、例えば、図４（ｃ）に示すヒトの頭部５１において、前頭部の頭髪の生え際部分５２、眉間５３、内眼角５４、外眼角５５、前鼻棘５６、頤５７、又は外耳道５８等を被覆している皮膚部分が挙げられ、これらの皮膚部分は筋組織、腱組織、軟骨組織等を介して骨組織に強固に結合している。また、固定された皮膚部分４２としては、ほうれい線５９が生じる皮膚及びその周辺の皮膚部分６０が挙げられ、これらの皮膚部分は表情筋群を介して口腔内の上顎骨と歯肉部に緩徐に支持固定されている。
【００４７】
一方、弛んだ皮膚部分４１は、身体での位置が固定されておらず、老化により皮膚の面積を増した状態にある。面積を増し余剰となった皮膚が、固定された皮膚部分４２を支持部位にして重力により垂れ下がることで、皮膚にシワ、弛みが生じる。その結果として、顔面の皮膚が老化したヒトは、顔貌が変形して老人性顔貌になると考えられる。
【００４８】
従来の貼付材は、その一部を固定された皮膚部分４２やその周辺部分に貼付しやすい形状や大きさではないことに加えて、設計段階で解剖学的な観点に基づいて固定された皮膚部分４２の位置が考慮されていないと考えられる。また、解剖学的な観点から固定されていない皮膚部分は、日常生活において、筋組織の収縮に伴い頻繁に動く。例えば、顔面のうちで解剖学的な観点から固定されていない皮膚部分は、表情の変化により頻繁に大きく動いている。従来の貼付材は、弛んだ皮膚部分４１が解剖学的な観点から固定されていない皮膚部分に向けて牽引されているように貼付される場合が多々あり、弛んだ皮膚部分４１が牽引される方向が安定しなかったと考えられる。このため、従来の貼付材を貼付しても、皮膚に生じたシワ、弛みを効率よく自然な顔貌となるように矯正することは難しかったと考えられる。
【００４９】
これに対して、図２（ｂ）に示すように、適切に貼付されたときに、貼付材１ａＬは、基部２ａＬが頬上部の皮膚部分６１の少なくとも一部に貼付され、第１延出部３ａＬの第１先端部５ａ、及び第２延出部６ａＬの第２先端部２２ａが耳前の皮膚部分６２の少なくとも一部に貼付される形状である。頬上部の皮膚部分６１は、ほうれい線５９と耳前との間にある皮膚部分６３であるともいえる。顔面に深いほうれい線５９が表れたヒトで、頬上部の皮膚部分６１は弛みを生じており、弛んだ皮膚部分４１に該当する。また、耳前の皮膚部分６２は、外耳道５８及び内耳道を被覆する管状の軟骨組織等により側頭骨に強固に結合されており、固定された皮膚部分４２に該当する。
【００５０】
基部２ａＬ及び第１延出部３ａＬを一端部４ａから第１先端部５ａへ向かう方向に牽引しながら、基部２ａＬを頬上部の皮膚部分６１の少なくとも一部に貼付してから、第１先端部５ａを耳前の皮膚部分６２の下部の少なくとも一部に貼付し、次いで、第２先端部２２ａを、第１延出部３ａＬを牽引しながら貼付した方向とは別方向に牽引しながら耳前の皮膚部分６２の上部の少なくとも一部に貼付すると、頬上部の皮膚部分６１にある余剰皮膚が耳前の皮膚部分６２に向けて牽引される。この牽引されている状態は、貼付材１ａＬを貼付している限り、日常生活で筋肉が収縮して表情が変わっても安定して保たれる。このため、貼付材１ａＬを適切に貼付すると、従来の貼付材を貼付するよりも、弛んだ頬上部の皮膚部分６１にある余剰皮膚を効率よく矯正することができる。また、頬上部の皮膚部分６１にある余剰皮膚が矯正されると、ほうれい線５９が平坦化して浅くなる。このため、貼付材１ａＬは、深いほうれい線５９を生じた者に対して、皮膚矯正用貼付材として好適に用いることができる。
【００５１】
顔面の筋組織は、顔面の正中部にある骨組織と、顔面の左側又は右側（正中に対して外側）にある骨組織とを、直接的又は間接的に連結している。さらに、表情筋は、皮膚の真皮に直接刺入するように結合している。このため、図４（ｃ）に示すように、顔面の筋組織の両端部分（顔面の正中部と顔面の外側）にある腱組織を被覆する皮膚は、固定された皮膚部分４２に該当する。また、弛んだ皮膚部分４１が重力により垂れ下がると、皮膚にシワが生じて老人性顔貌となる。このため、弛んだ皮膚部分４１に対して顔面の外側上方にある固定された皮膚部分４２に向けて牽引するように貼付材を弛んだ皮膚部分４１に貼付すると、この弛んだ皮膚部分４１に対して内側下方の方向にあるシワを効率よく平坦化させて老人性顔貌を矯正することができる。
【００５２】
図２（ａ）に示すように、貼付材１ａＬの第１延出部３ａＬ及び第２延出部６ａＬは、好ましくは、ほうれい線５９や頬上部の皮膚部分６１に対して、顔面の正中から外側上方の方向にある耳前の皮膚部分６２に貼付される。このように貼付材１ａＬを貼付すると、ほうれい線５９から頬上部の皮膚部分６１を介して耳前の皮膚部分６２へ向かう方向の牽引力が、頬上部の皮膚部分６１にある余剰皮膚の広範囲に及んでいる状態が保持される。この作用により、貼付材１ａＬを適切に貼付すると、顔面において頬上部の皮膚部分６１の内側下方にあるほうれい線５９を効率よく平坦化させることができる。
【００５３】
また、貼付材１ａＬを貼付するときは、なるべく基部２ａＬ及び第１延出部３ａＬの下縁に沿った方向に第１延出部３ａＬを牽引しながら貼付してから、第２延出部６ａＬを顔面の外側上方にある固定された皮膚部分４２に向けて牽引しながら貼付することが良い。第１延出部３ａＬを貼付したときに、弛んだ皮膚部分４１は、基部２ａＬ及び第１延出部３ａＬの下縁に沿った方向に牽引された状態となり、更に第２延出部６ａＬを貼付したときに、弛んだ皮膚部分４１は、更に顔面の外側上方に向けて牽引されている状態になる。先に、弛んだ皮膚部分４１が基部２ａＬ及び第１延出部５ａＬの下縁に沿った方向に牽引された状態になるため、後で外側上方へ向けて牽引しながら貼付するときに、牽引方向や牽引力の強さを調節しながら貼付しやすくなる。弛んだ皮膚部分４１を自然な形で矯正できるように、貼付材１ａＬを貼付しやすくなる。
【００５４】
貼付材１ａＬの基部２ａＬは、その略四角形状の外形における辺が曲線状であり、２つの角部分１８ａにアールが設けられているため、基部２ａＬの輪郭部分に牽引力が局所的に集中して及び弛んだ皮膚部分４１に不自然な陥凹が生じることは、避けられる。また、基部２ａＬは、一定の面積を有する略四角形状であるため、弛んだ皮膚部分４１の広範囲に貼付することができ、弛んだ皮膚部分４１を広範囲にわたって牽引することができる。このため、従来の基部が細い貼付材を貼付する場合や、基部の面積が小さい貼付材を貼付する場合と比べて、貼付材１ａＬを貼付する場合は、皮膚の弛みを効率よく不自然に見えないように矯正することができる。さらに、第１延出部３ａＬや第２延出部６ａＬは、舌状であるため、その外形に鋭角を有しておらず、これら延出部を貼付された皮膚部分に牽引力が局所的に集中して及び不自然な陥凹が生じることを、避けることができる。
【００５５】
［実施形態２］
図５（ａ）に示す実施形態２に係る貼付材（１ｂＬ，１ｂＲ）は、前述した貼付材１ａＬと同様の構成と作用効果を有し、その適切な貼付方法も同様である。切れ目１７ｂ又は切れ目２４ｂが設けられた剥離紙１４ｂを備えると好ましいことも、同様である。しかし、形状の一部や、貼付に適する身体の部位等が異なるため、この異なる点を説明する。また、貼付材１ｂＬについて説明するが、その説明内容は、貼付材１ｂＬに対して鏡像対称の形状である貼付材１ｂＲについても同様である。貼付材１ｂＬは、支持体８ｂ及び粘着剤層９ｂを備え、さらに、基部２ｂ、第１延出部３ｂ、及び第２延出部６ｂを備えて構成している。また、貼付材１ｂＬは全体としてＵ字状であり、その基部２ｂは一端部４ｂと他端部１２ｂを有する略四角形状である。基部２ｂの寸法は、例えば縦３５ｍｍ×横２５ｍｍである。第１延出部３ｂの延出方向と第２延出部６ｂの延出方向は、１０〜４０°開いている。
【００５６】
図５（ｂ）に示すように、複数方向に牽引されながら適切に貼付された貼付材１ｂＬは、その基部２ｂが頬下部の皮膚部分６４の少なくとも一部に貼付され、その第１延出部３ｂの第１先端部５ｂが耳垂前部の皮膚部分６５の下部の少なくとも一部に貼付され、第２延出部６ｂの第２先端部２２ｂが耳垂前部の皮膚部分６５の上部の少なくとも一部に貼付される形状である。頬下部の皮膚部分６４は、マリオネットライン６６と耳垂前部との間にある皮膚部分６７であるといえる。顔面にマリオネットライン６６が表れた者は、頬下部の皮膚部分６４に弛みが生じており、この頬下部の皮膚部分６４は弛んだ皮膚部分４１に該当する。また、耳垂前部の皮膚部分６５は、外耳道５８及び内耳道を被覆する軟骨組織等により側頭骨に強固に結合されており、固定された皮膚部分４２に該当する。
【００５７】
頬下部の皮膚部分６４の弛みが矯正されると、マリオネットライン６６が平坦化して浅くなる。このため、貼付材１ｂＬは、マリオネットライン６６を生じた者に対して、皮膚矯正用貼付材として好適に用いることができる。
【００５８】
［実施形態３］
図６（ａ）に示す実施形態３に係る貼付材（１ｃＬ，１ｃＲ）は、前述した貼付材１ａＬと同様の構成と作用効果を有し、その適切な貼付方法も同様である。切れ目１７ｃ又は切れ目２４ｃが設けられた剥離紙１４ｃを備えると好ましいことも、同様である。しかし、形状の一部や、貼付に適する身体の部位等が異なるため、この異なる点を説明する。また、貼付材１ｃＬについて説明するが、その説明内容は、貼付材１ｃＬに対して鏡像対称の形状である貼付材１ｃＲについても同様である。貼付材１ｃＬは、支持体８ｃ及び粘着剤層９ｃを備え、さらに、基部２ｃ、第１延出部３ｃ、及び第２延出部６ｃを備えて構成している。また、貼付材１ｃＬは全体としてＶ字状であり、その基部２ｃは一端部４ｃと他端部１２ｃを有する略四角形状である。基部２ｃの寸法は、例えば縦１５ｍｍ×横３５ｍｍである。第１延出部３ｃの延出方向と第２延出部６ｃの延出方向は、３０〜５０°開いている。
【００５９】
図６（ｂ）に示すように、複数方向に牽引されながら適切に貼付された貼付材１ｃＬは、その基部２ｃが下眼瞼の皮膚部分６８の少なくとも一部に貼付され、その第１延出部３ｃの第１先端部５ｃが、こめかみの皮膚部分６９の下部の少なくとも一部に貼付され、第２延出部６ｃの第２先端部２２ｃが、こめかみの皮膚部分６９の上部の少なくとも一部に貼付される形状である。下眼瞼の皮膚部分６８は、下眼瞼とこめかみとの間にある皮膚部分７０であるといえる。目尻（外眼角部）にいわゆるカラスの足跡７１が表れた者は、下眼瞼の隆起（いわゆる眼袋）に加えて、下眼瞼の皮膚部分６８に弛みを生じており、当該下眼瞼の皮膚部分６８は弛んだ皮膚部分４１に該当する。また、こめかみの皮膚部分６９は、前頭部の頭髪の生え際部分５２であり、帽状腱膜、前頭筋膜、側頭筋膜等を介して頭蓋骨骨膜に強固に結合しており、固定された皮膚部分４２に該当する。
【００６０】
下眼瞼の皮膚部分６８の弛みが矯正されると、カラスの足跡７１が平坦化して浅くなる。このため、貼付材１ｃＬは、目尻にカラスの足跡７１が表れた者に対して、皮膚矯正用貼付材として好適に用いることができる。
【００６１】
［実施形態４］
図７（ａ）（ｂ）（ｃ）に示す実施形態４に係る貼付材（１ｄ，１ｅ，１ｔ）は、前述した貼付材１ａＬと同様の構成と作用効果を有し、その適切な貼付方法も同様である。切れ目（１７ｄ，１７ｅ，１７ｔ）又は切れ目（２４ｄ，２４ｅ，２４ｔ）が設けられた剥離紙（１４ｄ，１４ｅ，１４ｔ）を備えると好ましいことも、同様である。しかし、形状の一部や、貼付に適する身体の部位等が異なるため、この異なる点を説明する。貼付材（１ｄ，１ｅ，１ｔ）は、支持体（８ｄ，８ｅ，８ｔ）及び粘着剤層（９ｄ，９ｅ，９ｔ）を備え、さらに、基部（２ｄ，２ｅ，２ｔ）、第１延出部（３ｄ，３ｅ，３ｔ）、及び第２延出部（６ｄ，６ｅ，６ｔ）を備えて構成している。また、貼付材（１ｄ，１ｅ，１ｔ）は、線対称の形状であるため、顔面の右左のどちら側にも適切に貼付することができる。
【００６２】
図７（ａ）に示す貼付材１ｄは全体としてＶ字状であり、その基部２ｄは一端部４ｄ及び他端部１２ｄを有する略四角形状である。基部２ｄの寸法は、例えば縦１５ｍｍ×横３５ｍｍである。第１延出部３ｄの延出方向と第２延出部６ｄの延出方向は、４０〜６０°開いている。図７（ｄ）に示すように、複数方向に牽引されながら適切に貼付された貼付材１ｄは、図６（ｂ）に示す前述した貼付材１ｃＬと同様の皮膚部分に貼付される形状である。このため、貼付材１ｄを２枚用いると、１種類の形状しかないにも関わらず、２種類の形状の貼付材（１ｃＬ，１ｃＲ）を１枚ずつ用いる場合と同様の作用効果を発揮する。貼付材１ｄは、目尻にカラスの足跡７１が表れた者に対して、皮膚矯正用貼付材として好適に用いることができる。
【００６３】
図７（ｂ）に示す貼付材１ｅは全体としてＵ字状であり、その基部２ｅは一端部４ｅと他端部１２ｅを有する略四角形状である。基部２ｅの寸法は、例えば縦４０ｍｍ×横３０ｍｍである。第１延出部３ｅの延出方向と第２延出部６ｅの延出方向は、３０〜５０°開いている。
【００６４】
図７（ｃ）に示す貼付材１ｔは全体としてＵ字状であり、その基部２ｔは一端部４ｔと他端部１２ｔを有する横長の略四角形状である。基部２ｔの寸法は、例えば縦４０ｍｍ×横５３ｍｍである。第１延出部３ｔの延出方向と第２延出部６ｔの延出方向は、３０〜５０°開いている。
【００６５】
図７（ｄ）に示すように、複数方向に牽引されながら適切に貼付された貼付材１ｅは、図２（ｂ）に示す前述した貼付材１ａＬと同様の皮膚部分に貼付される形状である。複数方向に牽引されながら適切に貼付された貼付材１ｔは、図５（ｂ）に示す前述した貼付材１ｂＬと同様の皮膚部分に貼付される形状である。このため、貼付材１ｅ又は貼付材１ｔを４枚用いると、１種類の形状しかないにも関わらず、４種類の形状の貼付材（１ａＬ，１ａＲ，１ｂＬ，１ｂＲ）を１枚ずつ用いる場合と同様の作用効果を発揮する。貼付材（１ｅ，１ｔ）は、深いほうれい線５９を生じたヒトや、マリオネットライン６６が表れた者に対して、皮膚矯正用貼付材として好適に用いることができる。
【００６６】
貼付材１ｔの基部２ｔは、貼付材１ｅの基部２ｅよりも横長であるため、弛んだ皮膚部分４１の広範囲にわたり貼付されることができる。このため、貼付されたときに、貼付材１ｔは、貼付材１ｅよりも弛んだ皮膚を矯正する効果が大きい。また、弛んだ皮膚部分４１は全方向に皮膚の面積が拡大した状態にあるが、その拡大の程度は、人によって、あるいは年齢等によって、大きく異なっている。これらのことから、貼付材１ｅは、好ましくは、皮膚の面積が少し拡大した者、例えば４０代又は５０代の者にとって老人性顔貌の矯正用の貼付材として用いられる。また、貼付材１ｔは、好ましくは、皮膚の面積が大きく拡大した者、例えば、６０代以上の者にとって老人性顔貌の矯正用の貼付材として用いられる。
【００６７】
貼付材（１ｅ，１ｔ）の貼付に適する身体の部位や、一度に貼付する貼付材の数は、図７（ｄ）に示す例に限られない。例えば、複数方向に牽引されながら適切に貼付されたときの貼付材１ｅは、その基部２ｅが頬下部の皮膚部分６４の少なくとも一部に貼付され、その第１延出部３ｅの第１先端部５ｅ、及び第２延出部６ｅの第２先端部２２ｅが耳垂前部の皮膚部分６５の少なくとも一部に貼付されて、マリオネットライン６６を生じた者に対して皮膚矯正用貼付材として用いられても良い。さらに、もう１枚の貼付材１ｅが、図２（ｂ）で前述した貼付材１ａＬと同様の身体の部位で複数方向に牽引されながら貼付されて、深いほうれい線５９とマリオネットライン６６の両方に対して同時に皮膚の弛みを矯正する効果を発揮させても良い。あるいは、複数方向に牽引されながら適切に貼付されたときの貼付材１ｔは、図２（ｂ）で前述した貼付材１ａＬと同様の身体の部位に貼付されて、深いほうれい線５９を生じた者に対して、皮膚矯正用貼付材として好適に用いられても良い。
【００６８】
［実施形態５］
図８（ａ）に示す実施形態４に係る貼付材（１ｆＬ，１ｆＲ）は、前述した貼付材１ａＬと同様の構成と作用効果を有し、その適切な貼付方法も同様である。しかし、形状の一部や、貼付に適する身体の部位等が異なるため、この異なる点を説明する。また、貼付材１ｆＬについて説明するが、その説明内容は、貼付材１ｆＬの形状に対して鏡像対称の形状である貼付材１ｆＲについても同様である。貼付材１ｆＬは、支持体８ｆ及び粘着剤層９ｆを備え、さらに、基部２ｆ、第１延出部３ｆ、第２延出部６ｆ、及び第３延出部７ｆを備えて構成している。なお、本発明において第３延出部とは、複数ある延出部のうちで、第１延出部と第２延出部とが貼付された後で次に貼付される延出部である。
【００６９】
貼付材１ｆＬは全体としてＥ字状であり、その基部２ｆは一端部４ｆと他端部１２ｆを有するは略四角形状である。基部２ｆの寸法は、一の辺１９ｆから２つある凹頂点２０ｆのいずれか近い方へ至る最短距離を横方向の長さとし、この横方向と直交する方向での基部２ｆの最短の幅を縦方向の長さとするときに、例えば縦３５ｍｍ×横３５ｍｍである。
【００７０】
第３延出部７ｆは、舌状の外形であり、他端部１２ｆから延出しており、第１延出部３ｆが延出している方向や第２延出部６ｆが延出している方向とは別方向へ延出している。第３延出部７ｆの舌状の先端部分を第３先端部３８ｆとする。３つある延出部のうちで、貼付材１ｆＬを身体に貼付するときに最も下側に貼付される延出部を第１延出部３ｆとし、中間に貼付される延出部分を第２延出部６ｆとし、最も上側に貼付される延出部を第３延出部７ｆとすることが、皮膚の弛みを下側から上側へ牽引して矯正する観点から好ましい。この場合、第１延出部３ｆの延出方向と第２延出部６ｆの延出方向は５〜１０°開いており、第２延出部６ｆの延出方向と第３延出部７ｆの延出方向は２５〜４０°開いており、第１延出部３ｆの延出方向と第３延出部７ｆの延出方向は３０〜５０°開いている。
【００７１】
図８（ｂ）により、貼付材１ｆＬの適切な貼付方法の手順を説明する。基部２ｆ及び第１延出部３ｆを一端部４ｆから第１延出部３ｆの第１先端部５ｆへ牽引しながら、基部２ｆを弛んだ皮膚部分４１の少なくとも一部に貼付する。この牽引している状態を保ったまま、顔面で弛んだ皮膚部分４１の外側上方にある皮膚部分に、第１延出部３ｆの第１先端部５ｆを貼付する。次いで、第２延出部６ｆの第２先端部２２ｆを、第１延出部３ｆを牽引しながら貼付した方向とは別方向に牽引しながら、顔面で弛んだ皮膚部分４１の外側上方にある皮膚部分に貼付する。最後に、第３延出部７ｆの第３先端部３８ｆを、第１延出部３ｆを牽引しながら貼付した方向や、第２延出部６ｆを牽引しながら貼付した方向とは別方向に牽引しながら、顔面で弛んだ皮膚部分４１の外側上方にある皮膚部分に貼付する。
【００７２】
上記のように適切に貼付されたときの貼付材１ｆＬは、その基部２ｆが、頬上部の皮膚部分６４の少なくとも一部と、下眼瞼の皮膚部分６８の少なくとも一部に貼付される形状である。さらに、第１先端部５ｆが耳前の皮膚部分６２の下部の少なくとも一部に貼付され、第２先端部２２ｆが耳前の皮膚部分６２の上部の少なくとも一部に貼付され、第３延出部７ｆの第３先端部３８ｆがこめかみの皮膚部分６９の少なくとも一部に貼付されている形状である。
【００７３】
貼付材１ｆＬを貼付すると、図２（ｂ）に示す前述した貼付材１ａＬを貼付した場合に発揮される作用効果と、図６（ｂ）に示す前述した貼付材１ｃＬを貼付した場合に発揮される作用効果と、の両方が発揮される。貼付材１ｆＬは、深いほうれい線５９を生じ、同時にカラスの足跡７１が表れた者に対して、皮膚矯正用貼付材として好適に用いることができる。
【００７４】
皮膚に弛みを生じた者が、弛みを矯正するために美容外科手術又は美容外科的治療を受ける場合がある。美容外科手術又は美容外科的治療後に、弛んだ皮膚部分４１が望ましい形状に保持されるように、弛んだ皮膚部分４１に貼付材を貼付する。しかし、従来の貼付材は弛んだ皮膚部分４１の保持に適した形状ではないため、患者が自作した貼付材を自身に貼付していた。貼付材の形状や貼付方法が適切でない場合、弛んだ皮膚部分４１が望ましい形状になるまでに６月を要していた。また、患者は、弛んだ皮膚部分４１が望ましい形状になるまで、医師による経過観察を受けるために医院に通う必用がある。６月にわたり何度も通院する負担を強いられてきた。
【００７５】
また、顔面神経麻痺を罹患した患者は、片側の顔面神経に障害が生じると、顔面の片側のみで皮膚が垂れ下がるため、そのＱＯＬが著しく低下する。顔面神経麻痺に対して各種治療法があるが、即効的な効果のある治療法は少ない。患者は、症状が改善するまでの間、医師による経過観察を受け続けるが、その間に患者のＱＯＬの低下を防ぐため、弛んだ皮膚部分４１を適切な形状で保持できる対処法が求められていた。顔面神経麻痺を罹患したため手術又は治療を受けた患者が、弛んだ皮膚部分４１が望ましい形状に保持されるように貼付材を貼付する場合がある。この場合も、患者が自作した貼付材を自身に貼付していたが、弛んだ皮膚部分４１を効率よく不自然な外観とならないように保持することは難しかった。
【００７６】
これに対して、頬上部の皮膚部分６４及び下眼瞼の皮膚部分６８について美容外科手術又は美容外科的治療を受けた患者や、顔面神経麻痺を罹患したため手術又は治療を受けた患者にとって、貼付材１ｆＬは、頬上部の皮膚部分６４及び下眼瞼の皮膚部分６８を同時に矯正できるため、皮膚矯正用貼付材として優れている。例えば、貼付材１ｆＬを用いた場合、頬上部の皮膚部分６４が望ましい形状になるまでの期間が、２月に短縮、つまり、３分の１に短縮された。
【００７７】
なお、図５（ａ）に示すように、貼付材１ｆＬは、切れ目１７ｆ又は切れ目２４ｆが設けられた剥離紙１４ｆを備えることが好ましい。この場合の剥離紙１４ｆは、基部被覆部分２５ｆ、第１先端部被覆部分２６ｆ、第２先端部被覆部分２７ｆ、及び第３先端部被覆部分３９ｆに分断されている。
【００７８】
［実施形態６］
図９（ａ）（ｂ）に示す実施形態６に係る貼付材（１ｇＬ，１ｇＲ，１ｈＬ，１ｈＲ）は、前述した貼付材１ａＬと同様の構成と作用効果を有し、その適切な貼付方法も同様である。切れ目（１７ｇＬ，１７ｇＲ，１７ｈＬ，１７ｈＲ）又は切れ目（２４ｇＬ，２４ｇＲ，２４ｈＬ，２４ｈＲ）が設けられた剥離紙（１４ｇＬ，１４ｇＲ，１４ｈＬ，１４ｈＲ）を備えると好ましいことも、同様である。しかし、形状の一部や、貼付に適する身体の部位等が異なるため、この異なる点を説明する。
【００７９】
図９（ａ）に示すように、顔面の右側と左側に貼付できるように、顔面の右側用の貼付材１ｇＲと、顔面の左側用の貼付材１ｇＬとは、左右一対のセットになっている。貼付材（１ｇＬ，１ｇＲ）は、支持体（８ｇＬ，８ｇＲ）及び粘着剤層（９ｇＬ，９ｇＲ）を備え、さらに、基部（２ｇＬ，２ｇＲ）、第１延出部（３ｇＬ，３ｇＲ）、及び第２延出部（６ｇＬ，６ｇＲ）を備えて構成している。また、貼付材（１ｇＬ，１ｇＲ）は全体としてＶ字状であり、その基部（２ｇＬ，２ｇＲ）は一端部（４ｇＬ，４ｇＲ）と他端部（１２ｇＬ，１２ｇＲ）を有する略四角形状である。基部２ｇＲの寸法は、例えば縦２０ｍｍ×横３２ｍｍである。貼付材１ｇＬの基部２ｇＬの寸法は、例えば縦２０ｍｍ×横７０ｍｍである。貼付材１ｇＲの基部２ｇＲに対して、貼付材１ｈＬの基部２ｇＬの方が、横長の形状である。貼付材１ｇＲで、第１延出部３ｇＲの延出方向と第２延出部６ｇＲの延出方向は２０〜４０°開いている。貼付材１ｇＬで、第１延出部３ｇＬの延出方向と第２延出部６ｇＬの延出方向も２０〜４０°開いている。
【００８０】
図９（ｃ）に示すように、複数方向に牽引されながら適切に貼付されたときに、貼付材１ｇＲの基部２ｇＲ及び貼付材１ｇＬの基部２ｇＬは、共に下口唇の皮膚部分７２の少なくとも一部に貼付されている。この際に、貼付される者にとって下口唇の皮膚部分７２のうちで顔面の右側にある部分７３で、貼付材１ｇＲの一端部４ｇＲと、貼付材１ｇＬの一端部４ｇＬとが、重ねられるように貼付されている。下口唇が垂れ下がった者は、下口唇の皮膚部分７２に弛みを生じており、この下口唇の皮膚部分７２は弛んだ皮膚部分４１に該当する。また、貼付材１ｇＲの第１延出部３ｇＲ及び第２延出部６ｇＲ、並びに、貼付材１ｇＬの第１延出部３ｇＬ及び第２延出部６ｇＬは、ほうれい線５９及びその周辺の皮膚部分６０の少なくとも一部、つまり固定された皮膚部分４２の少なくとも一部に貼付されている。
【００８１】
前述したように貼付材１ｇＲ及び貼付材１ｇＬが貼付されると、貼付される者にとって下口唇の皮膚部分７２のうちで顔面の右側部分は右側上方へ、顔面の左側部分は左側上方へ、余剰皮膚が牽引されている状態で保持されるため、下口唇の皮膚部分７２の弛みが矯正される。また、このように牽引されている状態で保持されるため、下口唇の皮膚部分７２の外観について、顔面の右側と左側とで左右対称性を保つことができる。このため、貼付材１ｇＲ及び貼付材１ｇＬは、下口唇の皮膚部分７２に弛みを生じた者に対して、皮膚矯正用貼付材として好適に用いることができる。また、左右対称性を保ちつつ皮膚の弛みを矯正する効果が大きいため、下口唇の皮膚部分７２について美容外科手術又は美容外科的治療を受けた患者や、顔面神経麻痺を罹患したため手術又は治療を受けた患者のための皮膚矯正用貼付材として用いることが、さらに好ましい。
【００８２】
なお、貼付材１ｇＲ及び貼付材１ｇＬは、右ききの者が自身の手で自身の顔面に貼付しやすいように、貼付材１ｇＬの基部２ｇＬの方が貼付材１ｇＲの基部２ｇＲよりも、横長の形状である。
【００８３】
一方、図９（ｂ）に示すように、顔面の右側用の貼付材１ｈＲと、顔面の左側用の貼付材１ｈＬとは、左右一対のセットになっており、貼付材１ｈＬの形状に対して貼付材１ｈＲの形状は鏡像対称である。貼付材（１ｈＬ，１ｈＲ）は、支持体（８ｈＬ，８ｈＲ）及び粘着剤層（９ｈＬ，９ｈＲ）を備え、さらに、基部（２ｈＬ，２ｈＲ）、第１延出部（３ｈＬ，３ｈＲ）、及び第２延出部（６ｈＬ，６ｈＲ）を備えて構成している。貼付材（１ｈＬ，１ｈＲ）は全体としてＶ字状であり、その基部（２ｈＬ，２ｇＲ）は一端部（４ｈＬ，４ｈＲ）と他端部（１２ｈＬ，１２ｈＲ）を有する略四角形状である。基部（２ｈＬ，２ｈＲ）の寸法は、例えば縦２０ｍｍ×横４５ｍｍである。貼付材（１ｈＬ，１ｈＲ）で、第１延出部（３ｈＬ，３ｈＲ）の延出方向と第２延出部（６ｈＬ，６ｈＲ）の延出方向は、２０〜４０°開いている。
【００８４】
図９（ｄ）に示すように、適切に貼付されたときの貼付材１ｈＬ及び貼付材１ｈＲは、下口唇の皮膚部分７２のうちの顔面の正中部にある部分で、貼付材１ｈＬの基部２ｈＬの一端部４ｈＬと、貼付材１ｈＲの基部２ｈＲの一端部４ｈＲとが、重ねられるように貼付されている。他人の顔面に貼付する場合、前述した貼付材（１ｇＬ，１ｇＲ）よりも、貼付材（１ｈＬ，１ｈＲ）の方が一端部（４ｈＬ，４ｈＲ）を貼付すべき部位が分かりやすいため容易に貼付することができる。貼付材（１ｈＬ，１ｈＲ）についての他の構成、作用効果は、前述した貼付材（１ｇＲ，１ｇＬ）と同様である。
【００８５】
［実施形態７］
図１０（ａ）に示す実施形態７に係る貼付材１ｉは、前述した貼付材１ａＬと同様の構成と作用効果を有し、その適切な貼付方法も同様である。しかし、形状の一部や、貼付に適する身体の部位等が異なるため、この異なる点を説明する。貼付材１ｉは、支持体８ｉ及び粘着剤層９ｉを備え、さらに、基部２ｉ、第１延出部３ｉ、第２延出部６ｉ、及び第３延出部７ｉを備えて構成している。また、貼付材１ｉは、全体としてΨ字状である線対称の形状であり、その基部２ｉは一端部４ｉと他端部１２ｉを有する略四角形状である。基部２ｉの寸法は、一の辺１９ｉから２つある凹頂点２０ｉのいずれか近い方へ至る最短距離を横方向の長さとし、この横方向と直交する方向での基部２ｉの最短の幅を縦方向の長さとするときに、例えば縦２５ｍｍ×横３５ｍｍである。貼付材１ｉの３つある延出部のうちで、貼付材１ｉの対称軸上にある延出部を第１延出部３ｉとする。さらに、貼付される者にとって第１延出部３ｉの右側に貼付される延出部と左側に貼付される延出部のうちで、いずれか一方を第２延出部６ｉとし、他方を第３延出部７ｉとする。右側と左側のどちらの延出部を第２延出部６ｉとするかは、任意である。
【００８６】
第１延出部３ｉ、第２延出部６ｉ、及び第３延出部７ｉは、他端部１２ｉから各々別方向に延出している。第１延出部３ｉの延出方向と第２延出部６ｉの延出方向は４５〜６０°開いており、第１延出部３ｉと第３延出部７ｉの延出方向は４５〜６０°開いており、第２延出部６ｉの延出方向と第３延出部７ｉの延出方向は９０〜１２０°開いている。
【００８７】
図１０（ｂ）に示すように、複数方向に牽引されながら適切に貼付された貼付材１ｉは、その基部２ｉが眉間の皮膚部分７４の少なくとも一部に貼付され、その第１延出部３ｉ、第２延出部６ｉ及び第３延出部７ｉが額の皮膚部分７５の少なくとも一部に貼付される形状である。また、その基部２ｉの一端部４ｉが、鼻背の皮膚部分７６の少なくとも一部に貼付される。眉間にシワが表れた者は、眉間の皮膚部分７４に弛みを生じており、当該眉間の皮膚部分７４は弛んだ皮膚部分４１に該当する。また、鼻背の皮膚部分７６は、鼻根筋等の筋組織を介して鼻骨下部や外側鼻軟骨上部に強固に固定されているため、固定された皮膚部分４２に該当する。
【００８８】
貼付材１ｉの貼付方法は、実施形態５に係る貼付材１ｆＬについて前述した貼付方法と同様である。ただし、貼付材１ｆＬの貼付方法と比べて、貼付材１ｉの貼付方法は、第１延出部３ｉを貼付してから、次に、第１延出部３ｉの右側又は左側にある第２延出部６ｉを貼付し、最後に、まだ貼付されていない第３延出部７ｉを貼付することが異なる。
【００８９】
貼付材１ｉが貼付されたときに、眉間の皮膚部分７４は、鼻背の皮膚部分７６から眉間の皮膚部分７４を介して額の皮膚部分７５へ向かう方向に、引き上げられた状態で安定して保持されている。眉間の皮膚部分７４の弛みが矯正されると、眉間のシワが平坦化して浅くなる。このため、貼付材１ｉは、眉間にシワが生じた者に対して、皮膚矯正用貼付材として好適に用いることができる。また、貼付材１ｉは、前述した貼付材（１ｇＲ，１ｇＬ）と同様に、眉間の皮膚部分７４について美容外科手術又は美容外科的治療を受けた患者や、顔面神経麻痺を罹患したため手術又は治療を受けた患者のための皮膚矯正用貼付材として用いることが、さらに好ましい。
【００９０】
なお、図１０（ａ）に示すように、貼付材１ｉは、切れ目１７ｉ又は切れ目２４ｉが設けられた剥離紙１４ｉを備えることが好ましい。この場合の剥離紙１４ｉは、基部被覆部分２５ｉ、第１先端部被覆部分２６ｉ、第２先端部被覆部分２７ｉ、及び第３先端部被覆部分３９ｉに分断されている。
【００９１】
［実施形態８］
図１１（ａ）に示す実施形態８に係る貼付材（１ｊＬ，１ｊＲ）は、前述した貼付材１ａＬと同様の構成と作用効果を有し、その適切な貼付方法も同様である。切れ目１７ｊが設けられた剥離紙１４ｊを備えると好ましいことも、同様である。しかし、形状の一部や、貼付に適する身体の部位等が異なるため、この異なる点を説明する。また、貼付材１ｊＬについて説明するが、その説明内容は、貼付材１ｊＬの形状に対して鏡像対称の形状である貼付材１ｊＲについても同様である。貼付材１ｊＬは、支持体８ｊ及び粘着剤層９ｊを備え、さらに、基部２ｊＬ、第１延出部３ｊＬ、第２延出部６ｊＬ、及び第３延出部７ｊＬを備えて構成している。基部２ｊＬは、一端部４ｊＬと他端部１２ｊを有する弓なりに曲げられた略四角形状であり、その寸法は例えば縦２５ｍｍ×横４５ｍｍである。
【００９２】
第１延出部３ｊＬ、第２延出部６ｊＬ、及び第３延出部７ｊＬのそれぞれは、他端部１２ｊから各々別方向に延出している。３つある延出部のうちで、貼付材１ｊＬを身体に貼付したときに最も下側に貼付される延出部を第１延出部３ｊＬとし、中間に貼付される延出部を第２延出部６ｊＬとし、最も上側に貼付される延出部を第３延出部７ｊＬとすることが好ましい。この場合、第１延出部３ｊＬの延出方向と第２延出部６ｊＬの延出方向は４０〜５０°開いており、第２延出部６ｊＬの延出方向と第３延出部７ｊＬの延出方向は４０〜５０°開いており、第１延出部３ｊＬの延出方向と第３延出部７ｊＬの延出方向は８０〜１００°開いている。
【００９３】
図１１（ｂ）に示すように、複数方向に牽引されながら適切に貼付された貼付材１ｊＲの基部２ｊＲ、及び、貼付材１ｊＬの基部２ｊＬは、共に上口唇の皮膚部分７７の少なくとも一部に貼付されている。貼付材（１ｊＬ，１ｊＲ）の貼付方法は、実施形態５に係る貼付材１ｆＬについて前述した貼付方法と同様である。ただし、貼付材１ｆＬの貼付方法と比べて、貼付材（１ｊＬ，１ｊＲ）の貼付方法は、前鼻棘の皮膚部分７８で、貼付材１ｊＲの基部２ｊＲの一端部４ｊＲと、貼付材１ｊＬの基部２ｊＬの一端部４ｊＬとが、重ねられるように貼付されることが異なる。
【００９４】
上口唇が垂れ下がった者は、上口唇の皮膚部分７７に弛みを生じており、当該上口唇の皮膚部分７７は弛んだ皮膚部分４１に該当する。また、貼付材（１ｊＬ，１ｊＲ）の第１延出部（３ｊＬ，３ｊＲ）、及び第２延出部（６ｊＬ，６ｊＲ）は、ほうれい線５９及びその周辺の皮膚部分６０、つまり固定された皮膚部分４２に貼付される。さらに、上顎骨の一部である前鼻棘５６は、口輪筋等の表情筋の起始部であるため、当該表情筋を介して前鼻棘５６部分を被覆する皮膚と強固に結合している。このため、前鼻棘の皮膚部分７８は、固定された皮膚部分４２に該当する。
【００９５】
このように貼付材１ｊＬ及び貼付材１ｊＲが貼付されると、上口唇の皮膚部分７７の余剰皮膚が、前鼻棘５６から上口唇の皮膚部分７７を介して、ほうれい線５９及びその周辺の皮膚部分６０へ牽引される。広範囲にわたる余剰皮膚が望ましい方向に牽引されるため、上口唇の皮膚部分７７の弛みが矯正される。貼付材１ｊＲ及び貼付材１ｊＬは、上口唇の皮膚部分７７に弛みを生じた者に対して、皮膚矯正用貼付材として好適に用いることができる。また、貼付材（１ｊＬ，１ｊＲ）は、前述した貼付材（１ｇＬ，１ｇＲ）と同様に、上口唇の皮膚部分７７について美容外科手術又は美容外科的治療を受けた患者や、顔面神経麻痺を罹患したため手術又は治療を受けた患者のための皮膚矯正用貼付材として用いることが、さらに好ましい。
【００９６】
［実施形態９］
図１２（ａ）に示す実施形態９に係る貼付材（１ｋＬ，１ｋＲ）は、前述した貼付材１ａＬと同様の構成と作用効果を有し、その適切な貼付方法も同様である。切れ目１７ｋ又は切れ目２４ｋが設けられた剥離紙１４ｋを備えると好ましいことも、同様である。しかし、形状の一部や、貼付に適する身体の部位等が異なるため、この異なる点を説明する。また、貼付材１ｋＬについて説明するが、その説明内容は、貼付材１ｋＬの形状に対して鏡像対称の形状である貼付材１ｋＲについても同様である。貼付材１ｋＬは、支持体８ｋ及び粘着剤層９ｋを備え、さらに、基部２ｋ、第１延出部３ｋ、及び第２延出部６ｋを備えて構成している。また、貼付材１ｋＬは全体としてＵ字状であり、その基部２ｋは、一端部４ｋと他端部１２ｋを有し、前述した貼付材１ａＬの基部２ａＬと比べて横長の略四角形状である。基部２ｋの寸法は、例えば縦３５ｍｍ×横５５ｍｍである。第１延出部３ｋの延出方向と第２延出部６ｋの延出方向は、２０〜４０°開いている。
【００９７】
図１２（ｂ）に示すように、複数方向に牽引されながら適切に貼付された貼付材１ｋＬは、前述した図２（ｂ）に示す貼付材１ａＬと同様に貼付されている。ただし、貼付された貼付材１ｋＬの基部２ｋは、貼付された貼付材１ａＬの基部２ａＬよりも、頬上部の皮膚部分６１の広範囲にわたって貼付されている。広範囲にわたる頬上部の皮膚部分６１が、ほうれい線５９及びその周辺の皮膚部分６０から耳前の皮膚部分６２へ向けて牽引されている状態で保持される。このため、貼付材１ｋＬを貼付する場合には、貼付材１ａＬを貼付する場合と比べて、頬上部の皮膚部分６１を広範囲にわたり短期間で効率よく矯正することができる。また、貼付材（１ｋＬ，１ｋＲ）は、前述した貼付材（１ｇＲ，１ｇＬ）と同様に、頬上部の皮膚部分６１について美容外科手術又は治療を受けた患者や、顔面神経麻痺を罹患したため手術又は治療を受けた患者のための皮膚矯正用貼付材として用いることが、さらに好ましい。
【００９８】
［実施形態１０］
図１３（ａ）に示す実施形態１０に係る貼付材（１ｍＬ，１ｍＲ）は、前述した貼付材１ａＬと同様の構成と作用効果を有し、その適切な貼付方法も同様である。切れ目１７ｍ又は切れ目２４ｍが設けられた剥離紙１４ｍを備えると好ましいことも、同様である。しかし、形状の一部や、貼付に適する身体の部位等が異なるため、この異なる点を説明する。また、貼付材１ｍＬについて説明するが、その説明内容は、貼付材１ｍＬの形状に対して鏡像対称の形状である貼付材１ｍＲについても同様である。貼付材１ｍＬは、支持体８ｍ及び粘着剤層９ｍを備え、さらに、基部２ｍ、第１延出部３ｍ、及び第２延出部６ｍを備えて構成している。また、貼付材１ｍＬは全体としてＵ字状であり、その基部２ｍは、一端部４ｍと他端部１２ｍを有し、前述した貼付材１ｂＬの基部２ｂＬよりも横長の略四角形状である。基部２ｍの寸法は、例えば縦３２ｍｍ×横６５ｍｍである。第１延出部３ｍの延出方向と第２延出部６ｍの延出方向は、１０〜３０°開いている。
【００９９】
図１３（ｂ）に示すように、複数方向に牽引されながら適切に貼付された貼付材１ｍＬは、図５（ｂ）に示す前述した貼付材１ｂＬと同様に貼付されている。ただし、貼付された貼付材１ｍＬの基部２ｍは、貼付された貼付材１ｂＬの基部２ｂよりも、頬下部の皮膚部分６４の広範囲にわたって貼付されている。広範囲にわたる頬下部の皮膚部分６４が、マリオネットライン６６から耳垂前部の皮膚部分６５へ向けて牽引されている状態で保持される。このため、貼付材１ｍＬを貼付する場合には、貼付材１ｂＬを貼付する場合と比べて、頬下部の皮膚部分６４を広範囲にわたって短期間で効率よく矯正することができる。また、貼付材（１ｍＬ，１ｍＲ）は、前述した貼付材（１ｇＲ，１ｇＬ）と同様に、頬下部の皮膚部分６４について美容外科手術又は美容外科的治療を受けた患者や、顔面神経麻痺を罹患したため手術又は治療を受けた患者のための皮膚矯正用貼付材として用いることが、さらに好ましい。
【０１００】
［実施形態１１］
図１４（ａ）に示す実施形態１１に係る貼付材（１ｎＲ，１ｎＬ）は、前述した貼付材１ａＬと同様の構成と作用効果を有し、その適切な貼付方法も同様である。切れ目１７ｎ又は切れ目２４ｎが設けられた剥離紙１４ｎを備えると好ましいことも、同様である。しかし、形状の一部や、貼付に適する身体の部位等が異なるため、この異なる点を説明する。また、貼付材１ｎＬについて説明するが、その説明内容は、貼付材１ｎＬの形状に対して鏡像対称の形状である貼付材１ｎＲについても同様である。貼付材１ｎＬは、支持体８ｎ及び粘着剤層９ｎを備え、さらに、基部２ｎ、第１延出部３ｎ、及び第２延出部６ｎを備えて構成している。また、貼付材１ｎＬは全体としてＶ字状であり、その基部２ｎは、一端部４ｎと他端部１２ｎを有し、前述した貼付材１ｃＬの基部２ｃよりも横長で曲げられた略四角形状である。基部２ｎの寸法は、例えば縦１５ｍｍ×横７０ｍｍである。第１延出部３ｎの延出方向と第２延出部６ｎの延出方向は、３０〜５０°開いている。
【０１０１】
図１４（ｂ）に示すように、複数方向に牽引されながら適切に貼付された貼付材１ｎＬは、その基部２ｎの一端部４ｎが鼻背の皮膚部分７６の少なくとも一部に貼付され、さらに基部２ｎが下眼瞼の皮膚部分６８の少なくとも一部に貼付され、その第１延出部３ｎ及び第２延出部６ｎがこめかみの皮膚部分６９の少なくとも一部に貼付されている形状である。
【０１０２】
貼付材１ｎＬを貼付すると、下眼瞼の皮膚部分６８に生じた眼袋の皮膚が、鼻背の皮膚部分７６から下眼瞼の皮膚部分６８を介してこめかみの皮膚部分６９へ向けて牽引されている状態で保持される。このため、貼付材１ｎＬを貼付する場合には、貼付材１ｃＬを貼付する場合と比べて、下眼瞼の皮膚部分６８を短期間で効率よく矯正することができる。また、貼付材（１ｎＬ，１ｎＲ）は、前述した貼付材（１ｇＲ，１ｇＬ）と同様に、下眼瞼の皮膚部分６８について美容外科手術又は美容外科的治療を受けた患者や、顔面神経麻痺を罹患したため手術又は治療を受けた患者のための皮膚矯正用貼付材として用いることが、さらに好ましい。
【０１０３】
［実施形態１２］
図１５（ａ）に示す実施形態１２に係る貼付材（１ｐＲ，１ｐＬ）は、前述した貼付材１ａＬと同様の構成と作用効果を有し、その適切な貼付方法も同様である。切れ目１７ｐ又は切れ目２４ｐが設けられた剥離紙１４ｐを備えると好ましいことも、同様である。しかし、形状の一部や、貼付に適する身体の部位等が異なるため、この異なる点を説明する。また、貼付材１ｐＬについて説明するが、その説明内容は、貼付材１ｐＬの形状に対して鏡像対称の形状である貼付材１ｐＲについても同様である。貼付材１ｐＬは、支持体８ｐ及び粘着剤層９ｐを備え、さらに、基部２ｐ、第１延出部３ｐ、第２延出部６ｐ、及び第３延出部７ｐを備えて構成している。また、貼付材１ｐＬは全体としてＥ字状であり、その基部２ｐは、一端部４ｐと他端部１２ｐを有し、前述した貼付材１ｆＬの基部２ｆよりも横に長い略四角形状である。基部２ｐの寸法は、例えば、縦３５ｍｍ×横７０ｍｍである。第１延出部３ｐの延出方向と第２延出部６ｐの延出方向は５〜１０°開いており、第２延出部６ｐの延出方向と第３延出部７ｐの延出方向は２５〜４０°開いており、第１延出部３ｐの延出方向と第３延出部７ｐの延出方向は３０〜５０°開いている。
【０１０４】
図１５（ｂ）に示すように、複数方向に牽引されながら適切に貼付された貼付材１ｐＬは、図８（ｂ）に示す前述した貼付材１ｆＬと同様に貼付されている。ただし、適切に貼付された貼付材１ｆＬの基部２ｆと比べると、適切に貼付された貼付材１ｐＬの基部２ｐは、その一端部４ｐが、ほうれい線５９の周辺の皮膚部分６０の少なくとも一部に貼付されている点で異なる。また、基部２ｐが、頬上部の皮膚部分６１のさらに広範囲にわたって貼付されている。さらに、第１延出部３ｐ及び第２延出部６ｐが、耳前の皮膚部分６２のさらに広範囲にわたり貼付され、第３延出部７ｐがこめかみの皮膚部分６９のさらに広範囲にわたり貼付されている。
【０１０５】
貼付材１ｐＬを貼付すると、頬上部の余剰皮膚が、ほうれい線５９から耳前の皮膚部分６２へ向けて牽引された状態で保持される。同時に、下眼瞼の皮膚部分６８に生じた眼袋の皮膚が、下眼瞼の皮膚部分６８からこめかみの皮膚部分６９へ向けて牽引された状態で保持される。貼付材１ｐＬを貼付する場合には、貼付材１ｆＬを貼付する場合と比べて、頬上部の皮膚部分６１と、下眼瞼の皮膚部分６８とを、広範囲にわたり短期間で効率よく矯正することができる。また、貼付材（１ｐＬ，１ｐＲ）は、前述した貼付材（１ｇＬ，１ｇＲ）と同様に、頬上部の皮膚部分６１や下眼瞼の皮膚部分６８について美容外科手術又は治療を受けた患者や、顔面神経麻痺を罹患したため手術又は治療を受けた患者のための皮膚矯正用貼付材として用いることが、さらに好ましい。
【０１０６】
［実施形態１３］
実施形態１３に係る貼付材（不図示）は、前述した貼付材（１ａＬ，１ｂＬ，１ｃＬ，１ｄ，１ｅ，１ｆＬ，１ｇＬ，１ｇＲ，１ｈＬ，１ｉ，１ｊＬ，１ｋＬ，１ｍＬ，１ｎＬ，１ｐＬ，１ｔ）、及びこれらの貼付材と鏡像対称の形状である貼付材からなる群から選ばれたいずれかの貼付材と、同様の形状と作用効果を有し、その適切な貼付方法や貼付に適する身体の部位も同様である。切れ目が設けられた剥離紙（不図示）を備えると好ましいことも、同様である。しかし、支持体や粘着剤層の構成が異なるため、この異なる点を説明する。本形態に係る貼付材は、支持体及び粘着剤層を備え、さらに、一端部と他端部を有する基部、第１延出部、及び第２延出部を少なくとも備えて構成している。さらに、第３延出部を備えて構成しても良い。
【０１０７】
本形態に係る貼付材の支持体の厚さは、６〜５０μｍであり、好ましくは７〜３０μｍである。支持体の厚さが６〜５０μｍであると、貼付材を皮膚に貼付したときに、使用者が違和感を覚えることなく、貼付材が牽引されている状態で保持されやすい。さらに、支持体の厚さが７〜３０μｍである場合は、使用者が貼付材を扱いやすい厚さであり、貼付材が皮膚の矯正に適した引張応力を示す。なお、支持体の厚さが薄すぎると、貼付材が牽引されている状態で貼付されている間に、支持体の引張応力が弱くなってしまう。支持体の引張応力が弱くなりすぎると、弛んだ皮膚部分に及ぶ牽引力が弱くなり、皮膚を矯正する効果が小さくなってしまう。また、支持体が厚すぎると、貼付材を皮膚に貼付したときに、貼付された者が皮膚に違和感を覚えてしまう。
【０１０８】
本形態に係る貼付材の支持体は、その２０％引張強度が０．１〜３Ｎ／ｃｍであるフィルムにより構成されている。支持体の２０％引張強度が０．１〜３Ｎ／ｃｍであると、支持体が適度な伸縮性を示すため、貼付材を皮膚に貼付したときに、貼付材が皮膚の曲面に追従して伸縮しつつ、他端部から各々延出部へ向けて牽引されている状態を保持しやすい。なお、支持体の２０％引張強度が小さすぎると、支持体が柔らかいため、弛んだ皮膚部分に及ぶ牽引力が弱くなり、皮膚を矯正する効果が小さくなってしまう。また、貼付材を皮膚から剥離するときに、支持体が必用以上に伸縮するため、剥離しにくい。支持体の２０％引張強度が大きすぎると、皮膚の伸縮に対する支持体の抵抗が強いため、使用者が皮膚に違和感を覚え、長時間貼付していると皮膚刺激を生じるおそれがある。また、支持体が皮膚曲面に追従して伸縮しないため、皮膚に貼付された貼付材が短時間で剥脱するおそれがある。
【０１０９】
なお、２０％引張強度の測定方法としては、支持体を１ｃｍ幅に切断した試験片を準備して、チャック間距離を５ｃｍに設定して、試験片を３０ｃｍ／ｍｉｎの速度で引っ張り変形させて、試験片が２０％伸びたときの応力を測定する。このときの測定値を、支持体の２０％引張強度とする。試験片の材質によっては温度により測定値が変わる場合があるため、この測定方法は、通常、２５℃の恒温室内で行われる。
【０１１０】
本形態に係る貼付材の粘着剤層は、その厚さが５〜１００μｍであり、好ましくは１０〜４０μｍである。粘着剤層の厚さが５〜１００μｍであると、貼付材が皮膚から剥脱しにくく、貼付材を剥がすときに皮膚の損傷を免れ、皮膚は蒸れにくくなる。なお、粘着剤層の厚さが薄すぎると、粘着力が足りず、皮膚の凹凸に馴染みにくいため、意図せずに貼付材が皮膚から剥脱するおそれがある。粘着剤層が厚すぎると、粘着力が強すぎるため、皮膚から貼付材を剥がすときに皮膚を損傷させるおそれがある。また、貼付材と皮膚との段差が大きいため、貼付材が目立ち、また、貼付材が衣服に引っかかり剥脱しやすい。さらに、粘着剤層が厚すぎると、粘着剤の材質によっては、粘着剤層の透湿性が低くなり、皮膚が蒸れてしまう。
【０１１１】
［実施形態１４］
図１６（ａ）（ｂ）に示す実施形態１４に係る貼付材（１ｑ，１ｒ）は、前述した貼付材（１ａＬ，１ｂＬ，１ｃＬ，１ｄ，１ｅ，１ｆＬ，１ｇＬ，１ｇＲ，１ｈＬ，１ｉ，１ｊＬ，１ｋＬ，１ｍＬ，１ｎＬ，１ｐＬ，１ｔ）や実施形態１３に係る貼付材（不図示）、及びこれらの貼付材と鏡像対称の形状である貼付材からなる群より選ばれたいずれかと、同様の形状と作用効果を有し、その適切な貼付方法や貼付に適する身体の部位も同様である。また、切れ目（１７ｑ，１７ｒ）又は切れ目（２４ｑ，２４ｒ）が設けられた剥離紙（１４ｑ，１４ｒ）を備えると好ましいことも、同様である。しかし、支持体等の構成が異なるため、この異なる点を説明する。貼付材（１ｑ，１ｒ）は、支持体（８ｑ，８ｒ）及び粘着剤層（９ｑ，９ｒ）を備え、さらに、一端部（４ｑ，４ｒ）と他端部（１２ｑ，１２ｒ）を有する基部（２ｑ，２ｒ）、第１延出部（３ｑ，３ｒ）、及び第２延出部（不図示）を少なくとも備えて構成している。さらに、第３延出部（不図示）を備えて構成しても良い。
【０１１２】
貼付材（１ｑ，１ｒ）は、その支持体（８ｑ，８ｒ）の厚さをｗとするとき、支持体（８ｑ，８ｒ）の他面（１０ｑ，１０ｒ）の十点平均粗さＲｚが、６μｍ≦Ｒｚ≦４０μｍであり、かつ、Ｒｚ≦ｗである。また、貼付材（１ｑ，１ｒ）は、その支持体（８ｑ，８ｒ）の厚さをｗとするときの他面（１０ｑ，１０ｒ）のＲｚが、好ましくは１０μｍ≦Ｒｚ≦４０μｍかつＲｚ≦ｗであり、さらに好ましくは１７μｍ≦Ｒｚ≦３５μｍかつＲｚ≦ｗである。なお、他面（１０ｑ，１０ｒ）のＲｚは、ＪＩＳ  Ｂ  ０６０１：２００１に準拠して、基準長さ５００μｍ、カットオフ値２００μｍの条件で、表面粗さ測定器により他面１０の表面形状を測定して得られた値である。
【０１１３】
支持体（８ｑ，８ｒ）は、表面性状が６μｍ≦Ｒｚ≦４０μｍとなるように、他面（１０ｑ，１０ｒ）に凹凸が設けられている。６μｍ≦Ｒｚ≦４０μｍとなる凹凸の深さは、皮膚表面の凹凸の深さに近いため、他面（１０ｑ，１０ｒ）の外見は皮膚に似ている。また、凹凸形状により他面（１０ｑ，１０ｒ）から支持体（８ｑ，８ｒ）内への入射光が散乱されるため、他面（１０ｑ，１０ｒ）は、そのテカリが抑えられて目立たない。
【０１１４】
６μｍ≦Ｒｚ≦４０μｍとなる凹凸の深さは、他面（１０ｑ，１０ｒ）にコンシーラーの粉末が塗布された後に更にファンデーションの粉末が塗布されたときに、これら複数種類の化粧料の粉末を他面（１０ｑ，１０ｒ）上に保持するうえで適している。ファンデーションやコンシーラーの平均粒子径は一般的に０．１〜６０μｍと幅広いことに対して、他面（１０ｑ，１０ｒ）が６μｍ≦Ｒｚ≦４０μｍとなる凹凸の深さであると、凹凸が粒子径の異なる複数種類の化粧料の粉末を保持することができるため、化粧ののりが良い。
【０１１５】
他面（１０ｑ，１０ｒ）のＲｚが６μｍ未満であると、ファンデーションの粉末やコンシーラーの粉末の平均粒子径に対して凹凸の深さが小さすぎるため、これら化粧料の粉末が他面（１０ｑ，１０ｒ）でほとんど保持されない場合が多い。これら化粧料の粉末を指先で撫でて塗布しようとしても、化粧料の粉末が他面（１０ｑ，１０ｒ）から滑り落ちてしまう。他面（１０ｑ，１０ｒ）のＲｚが４０μｍを超えると、これら化粧料の粉末の平均粒子径に対して凹凸の深さが大きすぎるため、化粧料を他面（１０ｑ，１０ｒ）に厚く塗りすぎたときに拭き取りにくい。なお、他面（１０ｑ，１０ｒ）が１７μｍ≦Ｒｚ≦３５μｍとなる凹凸の深さであると、皮膚と同程度の凹凸の深さであるため、肌から化粧料を拭き取るときに近い感覚で、他面（１０ｑ，１０ｒ）から化粧料を拭き取ることができる。
【０１１６】
Ｒｚ≦ｗとは、他面（１０ｑ，１０ｒ）に形成された凹凸の深さが、支持体（８ｑ，８ｒ）の厚さｗ以下であることを示している。Ｒｚ＝ｗである場合には、他面（１０ｑ，１０ｒ）から一面（１１ｑ，１１ｒ）へ至る貫通孔が支持体（８ｑ，８ｒ）に多数設けられて、貫通孔の底に粘着剤層（９ｑ，９ｒ）が露出している。この場合も、他面（１０ｑ，１０ｒ）に形成された凹凸により、ファンデーションの粉末やコンシーラーの粉末が保持される。なお、塗布される化粧料は、ペースト状の化粧料、又は粒子を含有する液状の化粧料であると、他面（１０ｑ，１０ｒ）上で保持されやすく、貼付され化粧料を塗布された貼付材（１ｑ，１ｒ）の外観がその周囲の皮膚になじみやすいため好ましい。
【０１１７】
図１６（ａ）に示す貼付材１ｑは、その支持体８ｑがポリアクリル酸エステル系樹脂により構成されている。また、貼付材１ｑは、硬いフィルム２８と、当該フィルム２８の片面を覆う粘着剤層２９が設けられたキャリアー１５ｑを備える。キャリアー１５ｑの粘着剤層２９は、高い凝集力を示す粘着剤により構成されており、この粘着剤が流出しない。また、キャリアー１５ｑの粘着剤層２９は、他面１０ｑを被覆する。キャリアー１５ｑの粘着剤層２９の厚さは３〜２０μｍと薄いため、使用者は、他面１０ｑからキャリアー１５ｑを容易に剥離することができる。他面１０ｑに形成された凹凸は、貼付材１ｑが貼付される直前まで、キャリアー１５ｑにより保護される。貼付材１ｑを製造する際には、支持体８ｑがキャリアー１５ｑにより支持されるため、貼付材１ｑを製造しやすい。
【０１１８】
図１６（ｂ）に示す貼付材１ｒは、その支持体８ｒがポリウレタンにより構成されている。また、貼付材１ｒは、フィルム２８を含んで成るキャリアー１５ｒを備える。支持体８ｒを構成するポリウレタンは弱い粘着力を有するため、キャリアー１５ｒには粘着剤層が設けられていなくとも良い。貼付材１ｒについて、他の構成、作用効果は、前述した貼付材１ｑと同様である。
【０１１９】
従来、弛んだ皮膚部分を矯正しようと顔面等に貼付材を貼付すると、貼付材が目立ってしまう問題があった。貼付材が目立たないように貼付できる皮膚部分は、耳の後ろ側等の頭髪に隠れる部分や衣服で隠れる部分に限られていた（特許文献１を参照）。美容外科の手術や美容外科的治療、あるいは、顔面神経麻痺に対する手術や治療を受けた患者は、弛んだ皮膚部分を望ましい形状に保持させるために顔面にサイズの大きな貼付材を貼付し、目立つ貼付材によりＱＯＬを低下させていた。特に、日中に外出する女性の患者は、ＱＯＬを大幅に低下させていた。
【０１２０】
これに対して、貼付材（１ｑ，１ｒ）は、顔面等の皮膚に貼付しても、その他面（１０ｑ，１０ｒ）の外観が皮膚に似ており目立ちにくい。さらに、貼付材（１ｑ，１ｒ）は、皮膚に貼付された後に他面（１０ｑ，１０ｒ）上に化粧を施されると、外見上、貼付された周囲の皮膚との見分けがほとんどつかない。このため、貼付材（１ｑ，１ｒ）は、顔面の皮膚に貼付しても使用者のＱＯＬをほとんど低下させない。日中に外出する者、特に女性や患者のＱＯＬを保つために、貢献することができる。
【０１２１】
［実施形態１５］
図１７（ａ）に示す実施形態１５に係る貼付具（３０ｋＬ，３０ｋＲ）は、前述した実施形態９に係る貼付材（１ｋＬ，１ｋＲ）を保持しており、この貼付材（１ｋＬ，１ｋＲ）を顔面に適切に貼付しやすくするための用具である。顔面の左側に貼付材１ｋＬを貼付するための貼付具３０ｋＬについて説明するが、その説明内容は、貼付具３０ｋＬの形状に対して鏡像対称の形状である貼付具３０ｋＲについても同様である。貼付具３０ｋＬは、フレーム３５ｋと、一端部保持手段３１ｋと、第１延出部保持手段３２ｋと、第２延出部保持手段３３ｋとを備える。
【０１２２】
フレーム３５ｋは、貼付材１ｋＬを囲む環状である。このフレーム３５ｋ上の別々の箇所に、２つの一端部保持手段３１ｋ、１つの第１延出部保持手段３２ｋ、及び１つの第２延出部保持手段３３ｋが取り付けられている。２つの一端部保持手段３１ｋのそれぞれは、一端部４ｋに含まれる２つの角部分１８ｋを保持する。第１延出部保持手段３２ｋは、第１延出部３ｋの第１先端部５ｋを保持する。第２延出部保持手段３３ｋは、第２延出部６ｋの第２先端部２２ｋを保持する。一端部保持手段３１ｋ、第１延出部保持手段３２ｋ、及び第２延出部保持手段３３ｋにより、フレーム３５ｋの環内に貼付材１ｋＬが保持されるため、貼付具３０ｋＬの使用者は貼付材１ｋＬを貼付しやすい。
【０１２３】
フレーム３５ｋの素材としては、例えば、合成樹脂、セラミック、弾性を有する鋼線等からなる群より選ばれた１種以上が挙げられる。ここでの合成樹脂としては、例えば、ポリウレタン、又は硬質ビニル等が例示される。一端部保持手段３１ｋ、第１延出部保持手段３２ｋ、及び第２延出部保持手段３３ｋのそれぞれの構成としては、例えば、粘着テープ、クリップ、合成樹脂製の支持板、及び金属製の支持板等からなる群より選ばれた保持手段が挙げられる。
【０１２４】
貼付具３０ｋＬは、使用者にとって持ちやすく貼付材１ｋＬを貼付しやすいように、把持部３６ｋを備えることが好ましい。把持部３６ｋは、フレーム３５ｋ上において、２つの一端部保持手段３１ｋが取り付けられたそれぞれの箇所の間で、一端部４ｋが保持されている近くの部分に取り付けられる。なお、フレーム３５ｋ及び把持部３６ｋは、鋳造したり又は三次元プリンターを用いたりすることで、一体の部材となるように製造されても良いし、部材ごとに別個に製造されても良い。
【０１２５】
皮膚の弛みを矯正する上で望ましいように貼付材１ｋＬを貼付しやすくするために、貼付具３０ｋＬでは、基部２ｋ及び第１延出部３ｋが一端部４ｋから第１延出部３ｋの第１先端部５ｋへ向かう方向に牽引されており、第１延出部３ｋが牽引されている方向とは別方向に第２延出部６ｋが牽引されている状態で保持されていることが好ましい。このためには、このように牽引された状態の貼付材２ｋＬの２つの角部分１８ｋ、第１延出部３ｋの第１先端部５ｋ、及び第２延出部６ｋの第２先端部２２ｋのそれぞれに接するように貼付材１ｋＬを囲むフレーム３５ｋの形状であることが好ましい。この場合のフレーム３５ｋ上で、２つの角部分１８ｋに接する箇所には一端部保持手段３１ｋが取り付けられ、第１先端部５ｋに接する箇所には第１延出部保持手段３２ｋが取り付けられ、第２先端部２２ｋに接する箇所には第２延出部保持手段３３ｋが取り付けられる。
【０１２６】
図１７（ｂ）に示す貼付具３０ｓＬに保持されている貼付材１ｓＬは、支持体８ｓ及び粘着剤層９ｓを備え、さらに、一端部４ｓと他端部１２ｓを有する基部２ｓ、第１延出部３ｓ、及び第２延出部（不図示）を備えて構成している。さらに、この貼付材１ｓＬは、前述した貼付材１ｋＬと同様の形状であり、図１６（ｂ）に示す前述した貼付材１ｒと同様に、皮膚当接面１３ｓを被覆する剥離紙１４ｓと、他面１０ｓを被覆するキャリアー１５ｓを備える。また、貼付具３０ｓＬの一端部保持手段３１ｓ及び第１延出部保持手段３２ｓのそれぞれは、粘着テープである。一端部保持手段３１ｓは、その一部がフレーム３５ｓに粘着して取り付けられており、その他の部分がキャリアー１５ｓのうちで一端部４ｓを被覆する部分３７に粘着しているため、一端部４ｓを保持している。第１延出部保持手段３２ｓは、その一部がフレーム３５ｓに粘着して取り付けられており、その他の部分が第１先端部被覆部分２６ｓに粘着しているため、第１先端部５ｓを保持している。第２延出部保持手段（不図示）は、第１延出部保持手段３２ｓと同様に第２先端部（不図示）を保持している。また、貼付具３０ｓＬでは、貼付材１ｓＬが、その基部２ｓ及び第１延出部３ｓが一端部４ｓから第１先端部５ｓへ向かう方向に牽引され、第１延出部３ｓが牽引された方向とは別方向に第２先端部（不図示）が牽引されている状態で保持されている。
【０１２７】
貼付具１ｓＬを用いる貼付材１ｓＬの貼付方法を説明する。貼付材１ｓＬの剥離紙１４ｓは、切れ目１７ｓにより、基部被覆部分２５ｓと、第１先端部被覆部分２６ｓと、第２先端部被覆部分（不図示）に分断されている。このため、図１８（ａ）に示すように、貼付具３０ｓＬを用いて貼付材１ｓＬを貼付する直前に、基部被覆部分２５ｓを剥離しても、第１先端部被覆部分２６ｓ、及び第２先端部被覆部分２７ｓは皮膚当接面１３ｓ上に残る。
【０１２８】
次いで、貼付材１ｓＬを貼付する者は、貼付具３０ｓＬの把持部３６ｓを持ち、図１８（ｂ）に示すように、貼付材１ｓＬの一端部４ｓを、弛んだ皮膚部分４１の少なくとも一部に貼付する。例えば、一端部４ｓを頬上部の皮膚部分６１の少なくとも一部に貼付する。一端部４ｓを貼付したら、貼付材１ｓＬからキャリアー１５ｓを剥離し、同時に、フレーム３５ｓから一端部保持手段３１ｓを剥離する。キャリアー１５ｓと一端部保持手段３１ｓが除かれる。
【０１２９】
さらに、貼付材１ｓＬを貼付する者は、把持部３６ｓを持った状態で、貼付材１ｓＬの他端部１２ｓ及び根元部２３ｓを、頬上部の皮膚部分６１から、耳前の皮膚部分６２へ向けて押し付ける。このとき、貼付具１ｓＬにより第１先端部５ｓが第１延出部保持手段３２ｓにより保持され、第２先端部２２ｓが第２延出部保持手段３３ｓに保持されている。このため、押し付ける動作をするだけで、基部２ｓ及び第１延出部３ｓが一端部４ｓから第１先端部５ｓへ向かう方向に牽引されている状態で、基部２ｓが弛んだ皮膚部分４１の少なくとも一部に貼付される。同時に、基部２ｓ、他端部１２ｓ及び根元部２３ｓが、弛んだ皮膚部分４１に対して顔面の正中から外側上方にある固定された皮膚部分４２へ牽引されている状態で貼付される。
【０１３０】
他端部１２ｓ及び根元部２３ｓを貼付したら、図１８（ｃ）に示すように、第１先端部被覆部分２６ｓを剥離して、第１先端部５ｓを指先で摘み、耳前の皮膚部分６２の下部へ向けて牽引しながら当該皮膚部分６２の下部の少なくとも一部に貼付する。第１延出部３ｓを貼付したら、第２先端部被覆部分２７ｓを剥離する。部分２７ｓを剥離すると、フレーム３５ｓを顔面から取り外すことができる。最後に、基部２ｓ及び第１延出部３ｓが牽引されながら貼付された方向とは別方向に、第２先端部２２ｓを牽引しながら耳前の皮膚部分６２の上部の少なくとも一部に貼付する。
【０１３１】
貼付具３０ｓＬを用いて、図１８（ａ）（ｂ）（ｃ）に示す上記の一連の手順により貼付材１ｓＬを貼付する間、基部２ｓ及び第１延出部３ｓが一端部４ｓから第１先端部５ｓへ牽引された状態で保持され、基部２ｓ及び第１延出部３ｓが牽引された方向とは別方向に第２先端部２２ｓが牽引された状態で保持されている。また、一連の手順において、貼付具３０ｓＬごと貼付材１ｓＬを弛んだ皮膚部分４１から固定された皮膚部分４２へ押し付けるという簡単な動作により、貼付材１ｓＬを適切に貼付することができる。このため、貼付具３０ｓＬを用いて貼付材１ｓＬを貼付すると、基部２ｓの面積が広い貼付材１ｓＬを、容易に貼付することができる。
【０１３２】
図１７（ａ）（ｂ）に示す貼付具（３０ｋＬ，３０ｋＲ，３０ｓＬ）と同様に、本発明に係る貼付具は、図１９，図２０に示すように、前述した実施形態１〜４，６，１０，１１，１３，１４に係る貼付材（１ａＬ，１ｂＬ，１ｃＬ，１ｄ，１ｅ，１ｇＬ，１ｇＲ，１ｈＬ，１ｍＬ，１ｎＬ，１ｑ，１ｒ，１ｔ，不図示）を保持して貼付するための貼付具（３０ａＬ，３０ｂＬ，３０ｃＬ，３０ｄ，３０ｅ，３０ｇＬ，３０ｇＲ，３０ｈＬ，３０ｍＬ，３０ｎＬ，３０ｔ，不図示）であっても良い。これらの貼付具も、そのフレーム（３５ａ，３５ｂ，３５ｃ，３５ｄ，３５ｅ，３５ｇ，３５ｈ，３５ｍ，３５ｎ，３５ｔ，不図示）は貼付材を囲む環状であり、これらのフレームには２つの一端部保持手段（３１ａ，３１ｂ，３１ｃ，３１ｄ，３１ｅ，３１ｇＬ，３１ｇＲ，３１ｈ，３１ｍ，３１ｎ，３１ｔ，不図示）と、第１延出部保持手段（３２ａ，３２ｂ，３２ｃ，３２ｄ，３２ｅ，３２ｇＬ，３２ｇＲ，３２ｈ，３２ｍ，３２ｎ，３２ｔ，不図示）と、第２延出部保持手段（３３ａ，３３ｂ，３３ｃ，３３ｄ，３３ｅ，３３ｇＬ，３３ｇＲ，３３ｈ，３３ｍ，３３ｎ，３３ｔ，不図示）が取り付けられている。また、本貼付具は、顔面の左側用の貼付具に対して鏡像対称の形状である、顔面の右側用の貼付具（３０ａＲ，３０ｂＲ，３０ｃＲ，３０ｈＲ，３０ｍＲ，３０ｎＲ，不図示）であっても良い。
【０１３３】
また、本発明に係る貼付具は、前述した実施形態５，７，８，１２に係る貼付材（１ｆＬ，１ｉ，１ｊＬ，１ｐＬ）を保持して貼付するための貼付具（３０ｆＬ，３０ｉ，３０ｊＬ，３０ｐＬ）であっても良い。これらの貼付具も、そのフレーム（３５ｆ，３５ｉ，３５ｊ，３５ｐ）は貼付材を囲む環状であり、これらのフレームには２つの一端部保持手段（３１ｆ，３１ｉ，３１ｊ，３１ｐ）と、第１延出部保持手段（３２ｆ，３２ｉ，３２ｊ，３２ｐ）と、第２延出部保持手段（３３ｆ，３３ｉ，３３ｊ，３３ｐ）と、第３延出部保持手段（３４ｆ，３４ｉ，３４ｊ，３４ｐ）が取り付けられている。また、本貼付具は、顔面の左側用の貼付具に対して鏡像対称の形状である、顔面の右側用の貼付具（３０ｆＲ，３０ｊＲ，３０ｐＲ）であっても良い。
【０１３４】
また、本貼付具に保持されている貼付材は、切れ目（１７ａ，１７ｂ，１７ｃ，１７ｄ，１７ｅ，１７ｆＬ，１７ｆＲ，１７ｇＬ，１７ｇＲ，１７ｈ，１７ｉ，１７ｊ，１７ｍ，１７ｎ，１７ｐ，１７ｔ）が設けられた剥離紙（１４ａ，１４ｂ，１４ｃ，１４ｄ，１４ｅ，１４ｆＬ，１４ｆＲ，１４ｇＬ，１４ｇＲ，１４ｈＬ，１４ｈＲ，１４ｉ，１４ｊ，１４ｍ，１４ｎ，１４ｐ，１４ｔ）と、キャリアー（不図示）を備えることが好ましい。この場合の剥離紙のそれぞれは、基部被覆部分、第１先端部被覆部分、第２先端部被覆部分に分断されている。さらに、この場合の貼付材（１ｆＬ，１ｆＲ，１ｉ，１ｊＬ，１ｊＲ，１ｐＬ，１ｐＲ）の剥離紙では、第３先端部被覆部分が分断されている。なお、本貼付具に備えられる基部保持手段は、１つであっても良いし、３つ以上であっても良い。
【０１３５】
［その他の実施形態］
本発明に係る貼付材は、前述した実施形態１〜１５に係る貼付材と同様の構成と作用効果を有することに加えて、さらに以下に説明する構成や作用効果を有していても良い。
【０１３６】
本貼付材の透湿度は、５００〜１０，０００ｇ／（ｍ２・ｄａｙ）であることが好ましい。日常的に皮膚面から３００ｇ／（ｍ２・ｄａｙ）程度の水蒸気が生じるため、４００ｇ／（ｍ２・ｄａｙ）未満であると、皮膚が蒸れて皮膚常在菌が増殖し、皮膚に炎症が起こるおそれがある。１０，０００ｇ／（ｍ２・ｄａｙ）を越えると、水、汗又はアルコールが貼付材に吸収されたときに、貼付材が膨潤し、伸びて剥脱しやすくなり、目立ちやすくなってしまう。また、１０，０００ｇ／（ｍ２・ｄａｙ）を越えると、創傷面に貼付材１ａＬを貼付する場合に、傷口が乾燥してしまうため、貼付材により湿潤療法を行うことができない。
【０１３７】
貼付材の透湿度は、好ましくは８００〜４，０００ｇ／（ｍ２・ｄａｙ）であり、さらに好ましくは１，０００〜３，５００ｇ／（ｍ２・ｄａｙ）である。８００〜４，０００ｇ／（ｍ２・ｄａｙ）であると、皮膚が蒸れにくく、貼付材が膨潤しにくく、貼付材１ａＬを創に貼付した場合に湿潤環境を形成させて傷を早く治すことができる。
【０１３８】
実施形態１〜４，６，９〜１１，１３〜１５に係る貼付材は、第１延出部の延出方向と第２延出部の延出方向が、１０〜９０°開いていても良く、２０〜６０°開いていることが好ましい。実施形態５，８，１２に係る貼付材は、３つある延出部のうちで互いに最も離れた２つの延出部の延出方向が１０〜１８０°開いていても良く、３０〜１２０°開いていることが好ましい。また、本発明に係る貼付材は、他端部からそれぞれ別方向に延出している延出部を４つ以上備えて構成しており、４つ以上ある延出部のうちで最も離れた２つの延出部の延出方向が、互いに２０〜１８０°の範囲内で開いていても良い。なお、これらの角度が小さすぎると、弛んだ皮膚部分が牽引される各々延出部の間にある範囲が狭くなるため、皮膚の弛みを矯正する効果が弱くなってしまう。あるいは、これらの角度が大きすぎると、各々延出部の間にある方向に及ぶ牽引力が弱いため、皮膚の弛みを矯正する効果が弱くなってしまう。
【０１３９】
実施形態１〜４，６，７，９〜１１，１３〜１５に係る貼付材で、第１延出部とされている延出部を第２延出部とし、第１延出部とされている延出部を第２延出部として取り扱っても良い。実施形態５に係る貼付材では、第１延出部とされている延出部を第３延出部とし、第３延出部とされている延出部を第１延出部として取り扱っても良い。
【０１４０】
本貼付材は、実施形態７に係る貼付材１ｉの第１延出部３ｉ，第２延出部６ｉ，及び第３延出部７ｉが、図１０（ａ）（ｂ）に図示されているよりも長く延出している形状であっても良い。この場合の貼付材が、図１０（ｂ）で示す貼付材１ｉと同様の身体の部位に適切に貼付されたときには、その基部が鼻背の皮膚部分７６の少なくとも一部と眉間の皮膚部分７４の少なくとも一部に貼付されており、３つある延出部のそれぞれが眉間の皮膚部分７４から互いに別方向に向けて額の皮膚部分７５を縦断し、第１先端部、第２先端部、及び第３先端部のそれぞれが前頭部の頭髪の生え際の皮膚部分５２の少なくとも一部に貼付されている。この場合の基部と眉間の皮膚部分７４は、鼻背の皮膚部分７６から眉間の皮膚部分７４に至ってから、３方向に分岐してそれぞれの方向で額の皮膚部分７５を縦断して前頭部の頭髪の生え際の皮膚部分５２のうちのそれぞれ別の箇所へ向かうように牽引されている状態で保持される。また、この場合、貼付材の一端部は鼻背の皮膚部分７６（固定された皮膚部分４２）の少なくとも一部に貼付され、第１先端部、第２先端部、及び第３先端部が前頭部の頭髪の生え際の皮膚部分５２（固定された皮膚部分４２）の少なくとも一部に貼付されているため、２つの固定された皮膚部分４２の間にある眉間の皮膚部分７４が下方から上方へ牽引されている状態がさらに安定して保持されている。
【０１４１】
ヒトで顔面以外の部位にある弛んだ皮膚部分としては、頚部の下顎縁下部の皮膚部分、手首の皮膚部分、胸部（乳房）の皮膚部分、臀部の皮膚部分が挙げられる。これらの弛んだ皮膚部分の近くにある固定された皮膚部分としては、それぞれ順に、頚部後面の項（うなじ）の有毛部の皮膚部分、前腕遠位の手関節部の皮膚部分、胸骨上縁部や鎖骨部の皮膚部分、腸骨縁部の皮膚部分が挙げられる。
【０１４２】
例えば、頚部の下顎縁下部の皮膚部分の少なくとも一部に基部を貼付し、一端部から複数ある延出部へ向けてそれぞれ別方向に牽引している状態で、各々延出部の先端部を頚部後側上方の項部の少なくとも一部に貼付すると、下顎縁の余剰皮膚を挙上することができる。このため、下顎縁をシャープに見せ、頚部前面の余剰皮膚が少なくなるように矯正して、フェイスラインを改善することができる。このように、本貼付材は、実施形態１〜１５に係る貼付材の他にも、弛んだ皮膚部分と固定された皮膚部分の位置関係に応じて形状を調製されることで、ヒトの顔面以外の部位でも皮膚のシワ、弛みを矯正することができる。ヒト以外では、哺乳類に対して、形状を適宜調製した貼付材を用いて、皮膚のシワ、弛みを矯正することができると考えられる。
【０１４３】
本貼付材における支持体は、例えば、ポリウレタン、ポリイソブチレン、ポリブテン及びポリ酢酸ビニルからなる群より選ばれた１種以上の樹脂組成物により構成されているフィルム中に、微粒子や顔料が分散されているものであっても良い。この場合の微粒子や顔料としては、例えば、シリカ、タルク、弁柄、マイカ、カオリン、雲母粉、パール系顔料、及びバリウム塩等からなる群より選ばれた１種以上が挙げられる。顔料が分散されている支持体は、薄く着色されている。また、微粒子が分散されている支持体は、光分散機能を有する。この場合の本貼付材は、その支持体の外見が皮膚に似ているため、さらに目立たない外見となる。
【０１４４】
本貼付材における粘着剤層がアクリル系粘着剤、及びウレタン系粘着剤からなる群より選ばれた１種以上の医療用の貼付材で用いられ得る粘着剤組成物により構成されている場合、当該粘着剤組成物は、ゲル型粘着剤組成物であることが好ましい。また、粘着剤層が医療用の貼付材で用いられ得るゴム系粘着剤組成物により構成されている場合、当該粘着剤組成物は、ハイドロコロイド粒子を１５〜５５重量％含有するハイドロコロイド粘着剤組成物であることが好ましい。これらの場合の粘着剤組成物により構成されている粘着剤層は、浸出液を吸収し得る。美容外科手術後の患者の弛んだ皮膚部分を矯正しようとするときに、この場合の粘着剤層を有する本貼付材を貼付すると、弛んだ皮膚部分を望ましい形状に保持するだけでなく、浸出液を吸収しながら縫合の跡を治癒させることができる。なお、粘着剤層が前述したハイドロコロイド粘着剤組成物により構成されている場合、浸出液を吸収させるために粘着剤層の厚さが４０μｍより大きくても良い。
【０１４５】
粘着剤層は、皮膚の健康を維持するために有効な成分を含んでいても良い。このような成分としては、例えば、ビタミンＣ及びその誘導体、ビタミンＡ、ビタミンＥ、アルブチン等のメラニン生成抑制剤、ハイドロキノン、ヒアルロン酸、コンドロイチン硫酸、及びセラミド等からなる群より選ばれた１種以上が挙げられる。あるいは、粘着剤層は、皮膚に作用する薬剤を含んでいても良い。このような薬剤としては、例えば、イソプロピルメチルフェノール、銀、銀包摂物、クロルヘキシジン、塩酸ベンザルコニウム、グリチルリチン及びその塩、フェルビナク、インドメタシン、ジクロフェナック、フルルビプロフェン、サリチル酸メチル、イブプロフェンピコナール、及びコルチコステロイド等からなる群より選ばれた１種以上が挙げられる。
【０１４６】
形成外科的治療、再生医療、美容外科手術及び美容外科的治療からなる群より選ばれた少なくとも１種の手術又は治療を受けた患者が、この手術又は治療を受けた弛んだ皮膚部分を望ましい形状に保持するために本貼付材を用いると、従来の貼付材を貼付して保持する場合と比べて、矯正に要する期間を大幅に短縮することができる。処置後に本貼付材を貼付すると有効な形成外科的治療としては、神経移植、筋移植、植皮術、脂肪移植等が挙げられる。再生医療としては、幹細胞移植、細胞治療等が挙げられる。美容外科手術又は美容外科的治療としては、ボツリヌス毒等の神経麻痺剤、ヒアルロン酸等の充填剤、レーザー治療、増殖因子等を用いた美容外科手術又は美容外科的治療が挙げられる。なお、幹細胞移植または細胞治療で移植される細胞としては、例えば、人体から採取された細胞、人体から採取された幹細胞、遺伝子導入により作製された幹細胞（ｉＰＳ細胞等）、培養された細胞、培養された幹細胞等からなる群から選ばれた１種以上の細胞が挙げられる。
【０１４７】
［貼付材の製造方法］
本発明に係る貼付材の製造方法は、支持体を得る工程と、粘着剤層を得る工程と、支持体と粘着剤層を積層する工程と、積層物を切り抜く工程を含む。ここで、実施形態１〜１３に係る貼付材の製造方法を説明する。支持体を得る工程では、キャスト用剥離性基板の表面に樹脂溶液を流延して乾燥し、乾燥させたものを基板から剥離して得たフィルムを支持体Ｃとした。
【０１４８】
粘着剤層を得る工程では、粘着剤層の素材にアクリル系樹脂を用いる場合は、粘着剤の原料となるモノマー等を酢酸エチルに混合溶解して、重合開始剤を添加して共重合させて、架橋剤を添加してキャスト用溶液を調製する。また、粘着剤層の素材にシリコン系粘着剤を用いる場合は、所定の２種類の溶液を混合する方式等である市販のシリコン系粘着剤を用いて、キャスト用溶液を調製する。粘着剤層の素材にゴム系粘着剤を用いる場合は、粘着剤の原料であるポリマーをトルエンに混合溶解して、軟化剤、粘着付与剤、酸化防止剤を添加して、キャスト用溶液を調製する。粘着剤層の素材にウレタン系粘着剤を用いる場合は、キャスト直前に所定の２種類の溶液を混合してキャスト用溶液を調製する。さらに、アクリル系、シリコン系、ゴム系、又はウレタン系のいずれの粘着剤を用いる場合も、前述したキャスト用溶液を剥離紙上に流延して、流延したものを乾燥又は加熱して、粘着剤層Ｄを得た。
【０１４９】
積層する工程では、支持体Ｃの一面を、粘着剤層Ｄの剥離紙に被覆されていない側の面上に載置して貼り合わせ、支持体Ｃと粘着剤層Ｄと剥離紙の積層物を得た。切り抜く工程では、この積層物を、支持体Ｃの他面側から所定の形状に切り抜く。切り抜く際の形状により、実施形態１〜１３のいずれかに係る貼付材を得ることができる。
【０１５０】
実施形態１４に係る貼付材の製造方法を説明する。支持体を得る工程では、表面に反転柄を有するキャスト用剥離性基板の当該表面に樹脂溶液を流延して乾燥し、乾燥させたものを基板から剥離して得たフィルムを支持体Ｅとした。支持体Ｅの他面（転写面）には、キャスト用剥離性基板の表面の反転柄が転写されて、凹凸が形成される。支持体Ｅの他面（転写面）にキャリアーを積層して、支持体Ｅとキャリアーとの積層物を得る。また、前述した実施形態１〜１３に係る貼付材の製造方法と同様に、粘着剤層Ｄと剥離紙の積層物を得る。支持体Ｅの一面（転写面ではない面）を、粘着剤層Ｄの剥離紙に被覆されていない側の面上に載置して貼り合わせ、剥離紙、粘着剤層Ｄ、支持体Ｅ、キャリアーの順に積層された積層物を得た。この積層物について、キャリアー側から所定の形状に切り抜くと、実施形態１４に係る貼付材を得ることができる。
【０１５１】
ハイドロコロイド粘着剤を素材とする粘着剤層を備える場合の本貼付材の製造方法は、ハイドロコロイド粒子１５〜５５重量％と、ブロックポリマーと、軟化剤２０〜５０重量％と、粘着付与剤を混合し、更に１３０〜１５０℃に加熱しつつ混合する。その後、さらに吸水性成分を添加して均一に混合した後、剥離紙上に塗布して、剥離紙上で粘着剤層を形成する。それから、実施形態１〜１３のいずれかに係る貼付材の製造方法と同様にして、ハイドロコロイド粘着剤を素材とする粘着剤層を備える貼付材を得ることができる。ここで、ブロックポリマーとしては、例えば、スチレンイソプレンスチレンブロック共重合体、及びスチレンブタジエンスチレンブロック共重合体等からなる群より選ばれた１種以上が挙げられる。このブロックポリマーに代えて、ポリイソブチレン、又はポリブテンを用いても良い。軟化剤としては、例えば、鉱油（流動パラフィン）、及びポリブテン等からなる群より選ばれた１種以上が挙げられる。粘着付与剤としては、例えば、エステルガム、ロジン酸エステル、水添ロジンからなる群より選ばれた１種以上が挙げられる。吸水性成分としては、例えば、カルボキシメチルセルロース、ペクチン、ゼラチン、及び合成系ポリマー等からなる群より選ばれた１種以上が挙げられる。ここでの合成系ポリマーとしては、例えば、アクリル酸とアクリル酸エステルの共重合体及びその塩、酢酸ビニル重合体の部分ケン化物、酢酸ビニルとビニルピロリドンの共重合体、並びにポリエチレングリコール等からなる群より選ばれた１種以上が挙げられる。
【実施例】
【０１５２】
［実施例１］
図７（ａ）に示す実施形態４に係るＶ字状の貼付材を、２枚準備した。これらの貼付材は、基部が縦１５ｍｍ×横３５ｍｍの略四角形状であり、第１延出部の延出方向と第２延出部の延出方向とが５０°開いていた。３８歳女性の顔面の右側と左側で、基部と第１延出部を一端部から第１先端部へ向かう方向に牽引しながら、基部を下眼瞼の皮膚部分に貼付し、第１先端部をこめかみの皮膚部分の下部に貼付した。次いで、基部及び第２延出部を下眼瞼の皮膚部分に対して顔面の外側上方へ向かう方向に牽引しながら、第２先端部をこめかみの皮膚部分の上部に貼付した。貼付後、外眼角が挙上した。同時に、フェイスライン（下顎縁の形状）も軽度ながら挙上した。
【０１５３】
［実施例２］
図７（ｃ）に示す実施形態４に係る横長の基部を備えるＵ字状の貼付材を、２枚準備した。これらの貼付材は、基部が縦４０ｍｍ×横５３ｍｍの略四角形状であり、第１延出部の延出方向と第２延出部の延出方向とが４０°開いていた。６６歳女性の顔面の右側と左側で、基部と第１延出部を一端部から第１先端部へ向かう方向に牽引しながら、基部を頬上部の皮膚部分に貼付し、第１先端部を耳前の皮膚部分の下部に貼付した。次いで、基部及び第２延出部を頬上部の皮膚部分に対して顔面の外側上方へ向かう方向に牽引しながら、第２先端部を耳前の皮膚部分の上部に貼付した。貼付後、頬が挙上して、ほうれい線が浅くなった。
【０１５４】
［実施例３］
実施例２で用いた貼付材と同じ寸法と形状の貼付材を、２枚準備した。６７歳女性の顔面の右側と左側で、基部と第１延出部を一端部から第１先端部へ向かう方向に牽引しながら、基部を頬下部の皮膚部分に貼付し、第１先端部を耳垂前部の皮膚部分の下部に貼付した。次いで、基部及び第２延出部を頬下部の皮膚部分に対して顔面の外側上方へ向かう方向に牽引しながら、第２先端部を耳垂前部の皮膚部分の上部に貼付した。貼付後、頬下部の皮膚部分が大幅に挙上して、フェイスラインが明らかに改善されるとともに、マリオネットラインが浅くなった。
【０１５５】
［実施例４］
図１９（ｄ）に示す実施形態４に係るＶ字状の貼付材を保持している貼付具を２つ準備し、図１９（ｆ）に示す実施形態４に係る横長の基部を備えるＵ字状の貼付材を保持している貼付具を４つ準備した。これらのＶ字状の貼付材は実施例１で用いた貼付材と同じ寸法と形状であり、これらの横長の基部を備えるＵ字状の貼付材は実施例２，３で用いた貼付材と同じ寸法と形状であった。６７歳女性の顔面の右側と左側のそれぞれに、実施例１と同様に実施形態４に係るＶ字状の貼付材を１枚ずつに貼付し、実施例２と同様に実施形態４に係る横長の基部を備えるＵ字状の貼付材を１枚ずつ貼付し、実施例３と同様に実施形態４に係る横長の基部を備えるＵ字状の貼付材を１枚ずつ貼付することで、計６枚の貼付材を貼付した。貼付後、下目瞼部の隆起（眼袋）が小さくなるとともに外眼角が挙上し、頬が挙上してほうれい線が浅くなり、フェイスラインが大幅に改善されるとともに、マリオネットラインがほぼ消失した。
【０１５６】
［比較例１］
図７（ｃ）に示す実施形態４に係る横長の基部を備えるＵ字状の貼付材から第１延出部及び第２延出部を切除して、基部のみを備えた比較例１に係る貼付材を２枚準備した。比較例１に係る貼付材の基部は、縦４０ｍｍ×横５３ｍｍの四角形のような形状であり、曲線状の辺とアールが設けられた角部分を有した。５５歳女性の顔面の右側と左側で、比較例１に係る貼付材をその一端部から他端部へ向かう単一方向に牽引しながら、一端部を頬下部の皮膚部分に貼付し、この牽引している状態のまま一端部を貼付した皮膚部分の外側上方にある頬下部の皮膚部分に他端部を貼付した。貼付後、フェイスラインの挙上、改善はほとんど認められず、マリオネットラインは浅くならなかった。また、比較例１に係る貼付材は、複数方向に牽引しながら貼付することができないため、貼付後の貼付材に細かいシワが生じて目立ってしまった。
【０１５７】
［実施例５及び比較例２］
実施例５として、４３歳女性の顔面の左側に、実施例３と同様に実施形態４に係る横長の基部を備えるＵ字状の貼付材１枚を貼付した。貼付後、顔面の左側では、フェイスラインが挙上し、マリオネットラインが浅くなった。同時に、比較例２として、顔面の右側で、比較例１に係る貼付材をその一端部から他端部へ向かう単一方向に牽引しながら、一端部を頬下部の皮膚部分に貼付し、この牽引している状態のまま一端部を貼付した皮膚部分の外側上方にある頬下部の皮膚部分に他端部を貼付した。貼付後、顔面の右側では、フェイスラインがわずかに挙上したが、マリオネットラインは浅くならなかった。また、貼付後の比較例２に係る貼付材は、細かいシワが生じて目立ってしまった。
【０１５８】
［実施例６及び比較例３］
実施例６として、６４歳女性の顔面の左側に、実施例３と同様に実施形態４に係る横長の基部を備えるＵ字状の貼付材１枚を貼付した。貼付後、顔面の左側では、フェイスラインが挙上し、マリオネットラインが浅くなった。同時に、比較例３として、顔面の右側で、比較例１に係る貼付材をその一端部から他端部へ向かう単一方向に牽引しながら、一端部を頬下部の皮膚部分に貼付し、この牽引している状態のまま一端部を貼付した皮膚部分の外側上方にある頬下部の皮膚部分に他端部を貼付した。貼付後、顔面の右側では、フェイスラインの挙上は認められず、マリオネットラインはほとんど浅くならなかった。また、貼付後の比較例３に係る貼付材は、細かいシワが生じて目立ってしまった。
【０１５９】
［実施例７］
支持体として、厚さ１０μｍで他面のＲｚが６μｍであるポリエーテル系ウレタンフィルムを準備した。また、キャリアーとして薄いポリエチレンフィルムを準備し、支持体の他面をキャリアーで被覆した。さらに、アクリル系粘着剤である平均分子量５００，０００のアクリル酸２−エチルヘキシル・アクリル酸共重合体溶液（固形分４０％）１００重量部、オレイン酸ソルビトール２０重量部、微量のビタミンＣとコラーゲン、及び架橋剤１．０重量部を混合した液を、剥離紙上に厚さ１５μとなるように塗布して乾燥させた。粘着剤の架橋反応が充分に進んだ後、剥離紙と粘着剤層との積層物に、剥離紙のみを切るハーフカットを入れた。次いで、粘着剤層の上面に支持体の一面を貼り合わせて、剥離紙、粘着剤層、支持体、キャリアーの順に積層された積層物を得た。この積層物を、図７（ｃ）に示す実施形態４に係る横長の基部を備えるＵ字状の貼付材の形状に切り抜いて、実施例７に係る貼付材を得た。実施例７に係る貼付材は、基部が縦４０ｍｍ×横５３ｍｍの略四角形状であり、第１延出部の延出方向と第２延出部の延出方向とが４０°開いていた。
【０１６０】
［実施例８］
実施例７に係る貼付材と同様の構成であるが、支持体を構成するポリエーテル系ウレタンフィルムの厚さが１５μｍで、他面のＲｚが６μｍである点が異なる、実施例８に係る貼付材を得た。
【０１６１】
［実施例９］
固形分３０％のポリエーテルポリウレタン樹脂溶液１００重量部、シリカ、タルク、弁柄を混合した微粒子７重量部、ＴＷＥＥＮ６０（乳化剤）０．２重量部、シリコーンオイル０．０５重量部％の混合液を、凹凸を有する工程紙面上に流延した。流延物を乾燥させて工程紙面上から剥離して、厚さ１０μｍで、他面のＲｚが１５μｍである、ポリエーテルウレタン系フィルムを得た。このポリエーテルウレタン系フィルムを支持体として用いた他は、実施例７に係る貼付材と同じ構成である、実施例９に係る貼付材を得た。
【０１６２】
［実施例１０］
支持体としては、実施例９で得られた支持体を準備した。平均分子量５００，０００のアクリル酸２−エチルヘキシル・アクリル酸共重合体溶液（固形分４０％）１００重量部、架橋剤１．５重量部、オレイン酸ソルビトール２０重量部、及び微量のビタミンＣとコラーゲンの混合液を、剥離紙上に厚さ１５μとなるように塗布し、乾燥後に４０℃で７２時間の条件で架橋反応を進行させた。その他の条件については、実施例７に係る貼付材と同様の構成である、実施例１０に係る貼付材を得た。
【０１６３】
［実施例１１］
厚さが２５μｍで、Ｒｚが１８μｍである他は、実施例９で得た支持体と同じ構成の支持体を得た。平均分子量５００，０００のアクリル酸２−エチルヘキシル・アクリル酸ヒドロキシエチル・酢酸ビニル共重合体溶液（固形分４０％）１００重量部、イソシアネート系架橋剤１．０重量部、オレイン酸ソルビトール１０重量部、ヒアルロン酸０．１重量部、及びグリチルリチン酸カリウム０.１重量部の混合液を、剥離紙上に厚さ１５μとなるように塗布して乾燥させ、４０℃で７２時間の条件で架橋反応を進行させた。その他の条件については、実施例７に係る貼付材と同様の構成である実施例１１に係る貼付材を得た。
【０１６４】
［比較例４］
支持体としては、ポリエーテルウレタン樹脂溶液を延伸ポリプロピレンのエンボス面上に流延して、厚さが５５μｍで、他面のＲｚが０．２μｍであるウレタンフィルムを得た。また、アクリル酸２−エチルヘキシル・アクリル酸共重合体を含んだ混合液をキャリアー上に厚さ１５μとなるように塗布して乾燥させた。乾燥後に形成された粘着剤層の上面に支持体の一面を貼り合わせて、キャリアー、粘着剤層、支持体の順に積層された積層体を得た。この積層物を四角形のような形状に切り抜いて、比較例４に係る貼付材を得た。比較例４に係る貼付材は、基部を備えるが、延出部を備えない。比較例４に係る貼付材の基部は、その寸法が縦１５ｍｍ×横３５ｍｍであり、曲線状の辺とアールが設けられた角部分を有する。
【０１６５】
［比較例５］
支持体としては、ポリエーテルウレタン樹脂溶液を、表面のＲｚが０．２μｍである工程紙面上に流延して、厚さが３μｍで、他面のＲｚが０．２μｍであるウレタンフィルムを得た。また、アクリル酸２-エチルヘキシル・アクリル酸共重合体を含んだ混合液をキャリアー上に厚さ５μとなるように塗布して乾燥させた。その他の構成については、比較例４に係る貼付材と同じ構成である比較例５に係る貼付材を得た。
【０１６６】
［比較例６］
実施例１０に係る貼付材と比べて、形状のみが異なる比較例６に係る貼付材を得た。比較例６に係る貼付材は、基部を備えるが、延出部を備えない形状である。比較例６に係る貼付材の基部は、縦１５ｍｍ×横３５ｍｍの四角形のような形状であり、曲線状の辺とアールが設けられた角部分を有する。
【０１６７】
［実施例７〜１１、比較例４，５を用いた比較試験の方法］
３８〜６７歳の女性７名が、図７（ｄ）に示す貼付材１ｅと同様に、自身の手で自身の顔面に、実施例７〜１１に係る貼付材をそれぞれ１回ずつ貼付した。貼付する際、一端部から第１先端部へ向かう方向に牽引しながら、基部を弛んだ頬上部の皮膚部分に貼付し、第１先端部を耳前の皮膚部分の下部に貼付した。さらに、第１延出部が牽引されながら貼付された方向とは別方向に第２延出部を牽引しながら、第２先端部を耳前の皮膚部分の上部に貼付した。貼付後、美容整形外科医が女性７名の顔貌を観察して、実施例７〜１１に係る貼付材による皮膚の矯正効果を次の基準で評価した。
◎  ７名全員で、頬が挙上して、ほうれい線が浅くなった。
○  ７名中４名以上で、頬が挙上して、ほうれい線が浅くなった。
△  ７名中４名以上で、頬がわずかに挙上したが、ほうれい線は浅くならなかった。
×  頬がわずかに挙上し、ほうれい線が浅くなった者が、７名中３名以下であった。
【０１６８】
同じ女性７名が、比較例４〜６に係る貼付材をそれぞれ１回ずつ貼付した。比較例４〜６に係る貼付材の一端部を頬上部の皮膚部分に貼付し、一端部から他端部へ向けて単一方向に牽引している状態で、一端部を貼付した皮膚部分の外側上方にある耳前の皮膚部分に貼付した。この場合も、実施例７〜１１に係る貼付材を貼付した場合と同様に、皮膚の矯正効果を評価した。
【０１６９】
また、実施例７〜１１、比較例４〜６に係る貼付材に係る貼付材を貼付した女性７名が、貼付後に皮膚に違和感を覚えたか、アンケートをとった。アンケートの結果から、貼付材により違和感を覚えたかを次の基準で評価した。
◎  ７名全員が、何も貼付していないときと同じように感じた。
○  ７名中４名以上が、何も貼付していないときと同じように感じた。
△  ７名中４名以上が、何かが頬上部に貼付されていると感じた。
×  ７名中４名以上が、頬上部に貼付されていることでストレスを感じた。
【０１７０】
実施例７〜１１、比較例４〜６に係る貼付材に係る貼付材を貼付した女性７名が、鏡で自身の顔面を見て、貼付材が目立つか観察した。観察結果をアンケートにとり、アンケートの結果から、貼付材の目立ちにくさを次の基準で評価した。
◎  ７名全員が、注意して見なければ、貼付材が貼付されていると分からなかった。
○  ７名中４名以上が、注意して見なければ、貼付材が分からなかった。
△  ７名中４名以上が、一瞬見ただけでは、貼付材が分からなかった。
×  ７名中４名以上が、一瞬見ただけで、貼付材が貼付されていると分かった。
【０１７１】
市販のファンデーションを準備して、ＪＩＳ  Ｚ  ８８２５−１：２００１に準拠した粒子径解析・レーザー解析法により当該ファンデーションの粉末のメジアン径を測定したところ、６μｍであった。また、実施例７〜１１、比較例４〜６に係る貼付材に係る貼付材を頬上部に貼付した女性７名が、前述のファンデーションを、貼付材の支持体の他面上を含めた顔面に塗布して化粧をした。化粧後に、貼付材の化粧ののりについてアンケートをとり、化粧ののりやすさについて次の基準で評価した。
◎  ７名全員が、素肌と化粧ののりが変わらなかったと感じた。
○  ７名中４名以上が、素肌と化粧ののりが変わらなかったと感じた。
△  ７名中４名以上が、素肌と比べて、化粧ののりに違和感を覚えた。
×  ７名中４名以上が、素肌と比べて、化粧ののりが明らかに悪いと感じた。
【０１７２】
実施例７〜１１、比較例４〜６に係る貼付材に係る貼付材を貼付した女性７名が、普段通りに１日生活して、貼付材を貼付してから２４時間後の時点で貼付材が貼付されたままの状態であるか、貼付材の長期貼付性を評価した。女性７名は、２４時間の間に１回入浴していた。貼付材の長期貼付性について、次の基準で評価した。
◎  ７名全員で、貼付材が剥がれかけることなく貼付されたままであった。
○  ７名中４名以上が、貼付材が剥がれかけることなく貼付されたままであった。
△  ７名中４名以上で、貼付材が剥がれかけた状態で貼付されていた。
×  ７名中４名以上で、貼付材が剥脱していた。
【０１７３】
［実施例７〜１１，比較例４，５を用いた比較試験の結果、考察］
実施例７〜１１，比較例４，５に係る貼付材に関して、皮膚の矯正効果、違和感の覚えにくさ、目立ちにくさ、化粧ののりやすさ、長期貼付性についての試験結果等を、表１に示す。
【表１】
0006706498.tif 000002
【０１７４】
表１に示すように、実施例７〜１１に係る貼付材を貼付した場合には、７名全員で、弛んだ頬上部の皮膚部分を挙上して、ほうれい線を浅くすることができた。実施例７〜１１に係る貼付材は、第１延出部及び第２延出部を備えるため、弛んだ頬上部の皮膚部分に充分な強さの牽引力を適切な方向に分散させて及ぼすことができ、自然な形で皮膚のシワ、弛みを矯正することができたと考えられる。
【０１７５】
一方、比較例４〜６に係る貼付材を貼付した場合には、頬がわずかに挙上し、ほうれい線が浅くなった者は、７名中の１〜２名に過ぎず、頬上部に不自然な陥凹を生じた者が３〜５名いた。比較例４〜６に係る貼付材は、複数の延出部が備えられておらず、弛んだ頬上部の皮膚部分を単一方向にしか牽引することができないため、貼付材の扱いに熟練していない者にとって皮膚を適切に矯正することが難しいと考えられる。さらに、比較例５に係る貼付材は、その支持体の厚さが３μｍであり薄すぎるため、牽引しながら皮膚に貼付している間に支持体の引張強度が弱くなり、弛んだ皮膚部分に及ぼす牽引力が弱くなり、皮膚を矯正する効果が小さくなってしまったと考えられる。
【０１７６】
また、実施例７〜１１、比較例５，６に係る貼付材を貼付した場合には、７名中の４〜７名が、何も貼付していないときと同じように感じた。実施例７〜１１，比較例５，６に係る貼付材は、その支持体の厚さが３〜２０μｍであるか、又は、支持体の他面のＲｚが６μｍ以上であるため、その２０％引張強度が０．１〜３Ｎ／ｃｍである。このため、実施例７〜１１、比較例５，６に係る貼付材は、頬上部の皮膚部分を牽引しつつも、皮膚の曲面に追従して伸縮する柔軟さ発揮して、使用者が皮膚に違和感を覚えにくいものになったと考えられる。
【０１７７】
一方、比較例４に係る貼付材を貼付した場合には、７名中５名が、頬上部に貼付材を貼付したことによりストレスを感じた。比較例４に係る貼付材は、支持体が５５μｍと厚いため、その引張応力が強くなりすぎて、貼付後の皮膚に違和感を生じさせたと考えられる。
【０１７８】
実施例９〜１１及び比較例６に係る貼付材を貼付した場合には、７名全員が、注意して見なければ、頬上部に貼付材が貼られていることが分からなかった。実施例９〜１１及び比較例６に係る貼付材は、その他面のＲｚが１５〜１８μｍであり、その支持体に微粒子が含まれている。このため、他面に形成された凹凸や、支持体に含まれる微粒子により、貼付材への入射光が散乱して他面のテカリが抑えられて、目立ちにくくなったと考えられる。さらに、支持体が半透明であり、他面に形成された凹凸により外観が皮膚表面に似ており、微粒子が肌の色に近いため、目立ちにくくなったと考えられる。
【０１７９】
実施例７，８に係る貼付材を貼付した場合には、７名中４〜６名が、注意して見なければ、頬上部に貼付材が貼られていることが分からなかった。実施例７，８に係る貼付材は、他面のＲｚが６μｍと小さいため、支持体への入射光を散乱させる作用が弱く、若干のテカリが生じてしまう。比較例５に係る貼付材を貼付した場合には、７名中３名が一瞬見ただけで貼付材が貼付されていると分かり、比較例４に係る貼付材を貼付した場合には、７名全員が、一瞬見ただけで貼付材が貼付されていると分かった。比較例４，５に係る貼付材は、その他面のＲｚが０．２μｍであり凹凸がほとんど形成されていないため、他面に生じたテカリが目立ってしまった。特に、比較例４に係る貼付材は、その支持体の厚さが５５μｍと厚いため、支持体と皮膚との段差が目立ってしまった。
【０１８０】
実施例１０，１１及び比較例６に係る貼付材を貼付した場合は、７名中４名以上が、貼付材の他面に化粧をしても、素肌と化粧ののりが変わらなかったと感じた。メジアン径が６μｍであるファンデーションの粉末に対して、実施例１０，１１及び比較例６に係る貼付材は、その支持体の他面のＲｚが１５〜１８μｍであるため、他面に形成された凹凸に粉末が効率よく保持され、化粧ののりが良いと考えられる。実施例７及び８に係る貼付材は、その他面のＲｚが６μｍであるため、他面のＲｚの大きさがファンデーションの粉末のメジアン径と同じである。また、７名中の５名が、素肌と比べて、化粧ののりが少し悪いと違和感を覚えた。実施例７，８に係る貼付材では、直径がメジアン径未満である粉末は他面上に保持されたが、直径が他面のＲｚよりも大きい粉末の多くは他面上から滑り落ちてしまったと考えられる。
【０１８１】
比較例４，５に係る貼付材を貼付した場合には、ファンデーションの粉末が他面上から滑り落ちたため、７名全員が、素肌と比べて化粧ののりが明らかに悪いと感じた。比較例４，５に係る貼付材の他面のＲｚは０．２μｍであり、ファンデーションの粉末のメジアン径に対して他面に形成された凹凸の深さが浅すぎるため、ファンデーションの粉末が他面上で保持されなかったと考えられる。
【０１８２】
実施例７，１１及び比較例５係る貼付材を貼付した場合には、貼付してから２４時間経過時に、７名全員で、貼付材が剥がれかけることなく貼付されたままであった。実施例７及び比較例５に係る貼付材は、その支持体の厚さが３〜１０μｍであり薄いため、皮膚の曲面や動きに追従しやすく、皮膚表面が蒸れにくいため、長期貼付性が良いと考えられる。実施例１１に係る貼付材は、支持体の厚さが２５μｍであり若干厚いが、その他面のＲｚが１８μｍと大きく、その支持体の透湿度が２，４００ｇ／（ｍ２・ｄａｙ）と高く、更に粘着剤層に保湿剤としてヒアルロン酸が含まれ、消炎剤としてグリチルリチン酸カリウムが添加されているため、皮膚表面が蒸れにくく長期貼付性が良いと考えられる。
【０１８３】
実施例８〜１０及び比較例６に係る貼付材を貼付した場合には、７名中の４〜６名で、貼付材が剥がれかけることなく貼付されたままであった。実施例８〜１０及び比較例６に係る貼付材は、支持体の厚さが２０〜２５μｍであり若干厚いが、その他面のＲｚが６〜１８μｍあるため、深い凹凸により支持体の透湿度が保たれて、皮膚表面が蒸れにくく長期貼付性が良いと考えられる。一方、比較例４に係る貼付材は、７名中４名で、貼付材が剥脱していた。その支持体が５５μｍと厚く、その他面のＲｚが０．２μｍと小さいため、支持体の透湿度が低く皮膚表面が蒸れて長期貼付性が悪いと考えられる。さらに、その支持体が５５μｍと厚いため、支持体の引張強度が強く、支持体が皮膚の動きに追従できなくなり、長期貼付性が悪いと考えられる。
【０１８４】
なお、実施例１０に係る粘着剤は、その粘着剤層にコラーゲンやビタミンＣが含まれているが、その長期貼付性は良かった。このため、実施例１０に係る貼付材を用いると、ビタミンＣやコラーゲンにより、皮膚のハリを保つ効果や美白の効果等を発揮できると期待される。また、実施例１１に係る貼付材は、その粘着剤層に抗炎症薬グリチルリチン酸カリウムやヒアルロン酸が含まれているが、その長期貼付性は良く、消炎効果と皮膚の水分保持効果を発揮することができると考えられる。
【産業上の利用可能性】
【０１８５】
本発明に係る貼付材は、弛んだ皮膚部分に貼付することで、シワ、弛みを生じた皮膚を効率よく矯正することができる。本貼付材を高齢者の顔面に貼付すると、弛んだ皮膚が挙上されて、高齢者を若々しく自然な顔貌にすることができる。また、本貼付材の貼付方法は、本貼付材を適切に皮膚に貼付する方法であり、当該方法により貼付された貼付材は、皮膚を矯正する効果を優れて発揮する。さらに、本貼付材の貼付具は、本貼付材のサイズが大きい場合にも、簡易迅速に皮膚に本貼付材を適切に貼付可能にする。
【符号の説明】
【０１８６】
１    貼付材
２    基部
３    第１延出部
４    基部の一端部
６    第２延出部
８    支持体
９    粘着剤層
１１  支持体の一面
１２  基部の他端部
４１  弛んだ皮膚部分
【図１】
0006706498.tif 000003
【図２】
0006706498.tif 000004
【図３】
0006706498.tif 000005
【図４】
0006706498.tif 000006
【図５】
0006706498.tif 000007
【図６】
0006706498.tif 000008
【図７】
0006706498.tif 000009
【図８】
0006706498.tif 000010
【図９】
0006706498.tif 000011
【図１０】
0006706498.tif 000012
【図１１】
0006706498.tif 000013
【図１２】
0006706498.tif 000014
【図１３】
0006706498.tif 000015
【図１４】
0006706498.tif 000016
【図１５】
0006706498.tif 000017
【図１６】
0006706498.tif 000018
【図１７】
0006706498.tif 000019
【図１８】
0006706498.tif 000020
【図１９】
0006706498.tif 000021
【図２０】
0006706498.tif 000022